(57)【要約】【課題】5GSにおいて、Virtical LAN及びNon-Publice Network(NPN)を実現するための通信手段を提供する。【解決手段】5GSにおいて、Virtical LAN及びNon-Publice Network(NPN)を実現するための、UEの登録、セッションの確立手続き、及び通信手段を提供する。更に、ネットワークに登録されたUEの設定を変更する為の手続きや、ネットワークに登録又は記憶又は設定されたUEの情報に基づく、確立されたセッションの管理手続き、確立されたセッションの削除手続き、及び通信手段を提供する。【選択図】図6
2020170896.tif 000002
【特許請求の範囲】
【請求項１】
NPN (Non Public Network）に接続可能なユーザ装置であって、
第1の情報を記憶する記憶部と、
前記NPNから、バックオフタイマの値を受信し、
前記第1の情報に基づき、前記バックオフタイマが実行されている間に、要求メッセージを送信する、送受信部と、を備え、
前記第1の情報は、前記ユーザ装置が前記NPN内で高い優先度で接続可能であることを示す情報であり、
前記NPNはネットワークスライスである、
ことを特徴とするユーザ装置。
【請求項２】
前記要求メッセージは、登録要求メッセージまたはサービス要求メッセージまたはPDUセッション確立要求メッセージである、
ことを特徴とする請求項1のユーザ装置。
【請求項３】
前記要求メッセージがサービス要求メッセージである場合、
前記送受信部は、前記サービス要求メッセージに、第2の情報を含め、
前記第2の情報は、高い優先度で前記NPNに接続する事を示す情報である、
ことを特徴とする請求項1又は2記載のユーザ装置。
【請求項４】
前記要求メッセージが登録要求メッセージである場合、
前記送受信部は、前記登録要求メッセージに、第3の識別情報を含め、
前記第3の識別情報は、前記ユーザ装置が前記NPNへ高い優先度で接続をするユーザ装置として登録することを希望することを示す情報である、
ことを特徴とする、請求項1又は2記載のユーザ装置。
【請求項５】
NPN(Non Public Network）として作成されたネットワークスライスを含む、PLMN(Public land mobile network)内の制御装置であって、
第1の識別情報を記憶する記憶部と、
輻輳を検知する制御部と、
ユーザ装置から要求メッセージを受信し、
前記第1の識別情報に基づき、前記検知をしている状態であっても、前記要求メッセージの応答として、輻輳を示す理由値を含む拒絶メッセージを送信しない、送受信部、とを備える、
ことを特徴とする制御装置。
【請求項６】
前記輻輳は、MM(Mobility Management)信号の輻輳またはDNN(Data Network Name)ベースの輻輳及び／又はネットワークスライスベースの輻輳である、
ことを特徴とする請求項5記載の制御装置。
【請求項７】
Non Public Network（NPN）として作成されたネットワークスライスを含む、PLMN内の制御装置であって、
前記NPN内で高い優先度で接続可能なユーザ装置に、バックオフタイマを含めないPDU (Protocol Data Unit又はPacket Data Unit)セッション削除コマンドメッセージ又はPDUセッション確立拒絶メッセ―ジ又はPDUセッション変更拒絶メッセージを送信する、送受信部を備える、
ことを特徴とする制御装置。
【請求項８】
第1の情報を記憶するNPN (Non Public Network）に接続可能なユーザ装置の通信制御方法であって、
前記NPNから、バックオフタイマの値を受信するステップと、
前記第1の情報に基づき、前記バックオフタイマが実行されている間に、要求メッセージを送信ステップと、を備え、
前記第1の情報は、前記ユーザ装置が前記NPN内で高い優先度で接続可能であることを示す情報であり、
前記NPNはネットワークスライスである、
ことを特徴とするユーザ装置の通信制御方法。
【請求項９】
前記要求メッセージは、登録要求メッセージまたはサービス要求メッセージまたはPDUセッション確立要求メッセージである、
ことを特徴とする請求項8のユーザ装置の通信制御方法。
【請求項１０】
前記要求メッセージがサービス要求メッセージである場合、
前記サービス要求メッセージに、第2の情報を含め、
前記第2の情報は、高い優先度で前記NPNに接続する事を示す情報である、
ことを特徴とする請求項8又は9記載のユーザ装置の通信制御方法。
【請求項１１】
前記要求メッセージが登録要求メッセージである場合、
前記登録要求メッセージに、第3の識別情報を含め、
前記第3の識別情報は、前記ユーザ装置が前記NPNへ高い優先度で接続をするユーザ装置として登録することを希望することを示す情報である、
ことを特徴とする、請求項8又は9記載のユーザ装置の通信制御方法。
【請求項１２】
第1の識別情報を記憶し、NPN(Non Public Network）として作成されたネットワークスライスを含む、PLMN(Public land mobile network)内の制御装置の通信制御方法であって、
輻輳を検知するステップと、
ユーザ装置から要求メッセージを受信するステップと、を備え、
前記制御装置は、前記第1の識別情報に基づき、前記検知をしている状態であっても、前記要求メッセージの応答として、輻輳を示す理由値を含む拒絶メッセージを送信しない、
ことを特徴とする制御装置。
【請求項１３】
前記輻輳は、MM(Mobility Management)信号の輻輳またはDNN(Data Network Name)ベースの輻輳及び／又はネットワークスライスベースの輻輳である、
ことを特徴とする請求項12記載の制御装置の通信制御方法。
【請求項１４】
Non Public Network（NPN）として作成されたネットワークスライスを含む、PLMN内の制御装置の通信制御方法であって、
前記NPN内で高い優先度で接続可能なユーザ装置に、バックオフタイマを含めないPDU (Protocol Data Unit又はPacket Data Unit)セッション削除コマンドメッセージ又はPDUセッション確立拒絶メッセ―ジ又はPDUセッション変更拒絶メッセージを送信するステップを備える、
ことを特徴とする制御装置の通信制御方法。 
【発明の詳細な説明】
【技術分野】
【０００１】
本発明は、ユーザ装置、制御装置、及び通信制御方法に関する。
【背景技術】
【０００２】
近年の移動通信システムの標準化活動を行う3GPP(3rd Generation Partnership Project)は、LTE(Long Term Evolution)のシステムアーキテクチャであるSAE(System Architecture Evolution)の検討を行っている。
【０００３】
また、近年3GPPでは、次世代移動通信システムである5G (5th Generation) 移動通信システムの次世代通信技術やシステムアーキテクチャの検討も行っており、特に、5G移動通信システムを実現するシステムとして、5GS(5G System)の仕様化を行っている(非特許文献1、及び非特許文献2参照)。5GSでは、多種多様な端末をセルラーネットワークに接続する為の技術課題を抽出し、解決策を仕様化している。
【先行技術文献】
【非特許文献】
【０００４】
【非特許文献１】3GPP TS 23.501 v15.5.0; 3rd Generation Partnership Project; Technical Specification Group Services and System Aspects; System Architecture for the 5G System; Stage 2 (Release 15)
【非特許文献２】3GPP TS 23.502 v15.5.0; 3rd Generation Partnership Project; Technical Specification Group Services and System Aspects; Procedures for the 5G System; Stage 2 (Release 15)
【非特許文献３】3GPP TS 24.501 v15.2.1; 3rd Generation Partnership Project; Technical Specification Group Core Network and Terminals; Non-Access-Stratum (NAS) protocol for 5G System (5GS); Stage 3 (Release 15)
【非特許文献４】3GPP TR 23.734 V16.1.0; Technical Specification Group Services and System Aspects; Study on 5GS Enhanced support of Vertical and LAN Services; (Release 16)
【発明の概要】
【発明が解決しようとする課題】
【０００５】
5GS(5G System)では、多種多様なサービスを提供するために、新たなコアネットワークである5GCN(5G Core Network)が検討されている。さらに、5GSでは新たな機能として、Virtical LANの検討がされている。
【０００６】
更に、Virtical LANのキーアイテムとして、NPN(Non-public network)のサポートの検討が行われている。NPNは、一般利用を目的とせず、企業など私的利用などを目的とした非公開ネットワークである。また、NPNは特定の利用者が特定の目的で利用する非公開ネットワークである。
【０００７】
NPNにはStand-alone Non-Public Network (SNPN)とPublic network integrated NPNの2種類が検討されている。3GPPでは、Public network integrated NPNは、ネットワークスライスの機能をを用いてNPNをサポートすることが仕様化されている。
【０００８】
また、現在5GSでは、PLMN内で高い優先度で接続するUEとして設定されるUE(UE configured for high priority access in selected PLMN)が存在する。PLMN内で高い優先度で接続するUEとして設定されるUEの識別方法は、UE及びコアネットワーク内装置の各装置が記憶する、1又は複数のアクセス識別情報に基づき識別される。
【０００９】
しかし、NPN内で高い優先度で接続するUEとして設定されるUEをサポートるするための具体的な手段や方法は明確になっていない。
【００１０】
本発明は、以上のような事情を鑑みてなされたものであり、その目的は、5GSにおけるNPNのための機能の実現方法を提供することである。
【課題を解決するための手段】
【００１１】
本発明の一実施形態のユーザ装置は、NPN (Non Public Network）に接続可能なユーザ装置であって、第1の情報を記憶する記憶部と、NPNから、バックオフタイマの値を受信し、第1の情報に基づき、前記バックオフタイマが実行されている間に、要求メッセージを送信する、送受信部と、を備え、第1の情報は、前記ユーザ装置が前記NPN内で高い優先度で接続可能であることを示す情報であり、NPNはネットワークスライスである、ことを特徴とする。
【００１２】
本発明の一実施形態の制御装置は、NPN(Non Public Network）として作成されたネットワークスライスを含む、PLMN(Public land mobile network)内の制御装置であって、第1の識別情報を記憶する記憶部と、輻輳を検知する制御部と、ユーザ装置から要求メッセージを受信し、第1の識別情報に基づき、検知をしている状態であっても、要求メッセージの応答として、輻輳を示す理由値を含む拒絶メッセージを送信しない、送受信部、とを備える、ことを特徴とする。
【００１３】
本発明の一実施形態の制御装置は、Non Public Network（NPN）として作成されたネットワークスライスを含む、PLMN内の制御装置であって、NPN内で高い優先度で接続可能なユーザ装置に、バックオフタイマを含めないPDU (Protocol Data Unit又はPacket Data Unit)セッション削除コマンドメッセージ又はPDUセッション確立拒絶メッセ―ジ又はPDUセッション変更拒絶メッセージを送信する、送受信部を備える、ことを特徴とする。
【発明の効果】
【００１４】
本発明によれば、5GSにおいて、NPNのサポートが可能となり、更にNPN内で高い優先度
で接続するUEをサポートするための、UEの登録、セッションの確立、セッションのマネジメント、UEの設定の変更/更新が可能となる。
【図面の簡単な説明】
【００１５】
【図１】移動通信システム(EPS/5GS)の概略を説明する図である。
【図２】移動通信システム(EPS/5GS)の詳細構成を説明する図である。
【図３】UEの装置構成を説明する図である。
【図４】5GSにおけるアクセスネットワーク装置(gNB)の構成を説明する図である。
【図５】5GSにおけるコアネットワーク装置(AMF/SMF/UPF)の構成を説明する図である。
【図６】登録手続きを説明する図である。
【図７】サービス要求手続きを説明する図である。
【図８】PDUセッション確立手続きを説明する図である。
【図９】UEの設定の変更/更新手続きを説明する図である。
【発明を実施するための形態】
【００１６】
以下、図面を参照して本発明を実施する為に最良の形態について説明する。尚、本実施形態では1例として、本発明を適用した場合の移動通信システムの実施形態について説明する。
【００１７】
[1. システムの概要]
まず、図1は、各実施形態で使用される移動通信システム1の概略を説明する為の図であり、図2は、その移動通信システム1の詳細構成を説明する為の図である。
【００１８】
図1には、移動通信システム1は、UE_A10、アクセスネットワーク_A80、コアネットワーク_A90、PDN(Packet Data Network)_A5、アクセスネットワーク_B120、コアネットワーク_B190、DN(Data Network)_A6により構成されることが記載されている。
【００１９】
以下では、これらの装置・機能について、UE、アクセスネットワーク_A、コアネットワーク_A、PDN、アクセスネットワーク_B、コアネットワーク_B、DN等のように、記号を省略して記載する場合がある。
【００２０】
また、図2には、UE_A10、E-UTRAN80、MME40、SGW35、PGW-U30、PGW-C32、PCRF60、HSS50、5G AN120、AMF140、UPF130、SMF132、PCF160、UDM150等の装置・機能、及びこれらの装置・機能を互いに接続するインターフェースが記載されている。
【００２１】
以下では、これらの装置・機能について、UE、E-UTRAN、MME、SGW、PGW-U、PGW-C、PCRF、HSS、5G AN、AMF、UPF、SMF、PCF、UDM等のように、記号を省略して記載する場合がある。
【００２２】
尚、4GシステムであるEPS(Evolved Packet System)は、アクセスネットワーク_A及びコアネットワーク_Aを含んで構成されるが、さらにUE及び/又はPDNが含まれても良い。また、5Gシステムである5GS(5G System)は、UE、アクセスネットワーク_B及びコアネットワーク_Bを含んで構成されるが、さらにDNが含まれても良い。
【００２３】
UEは、3GPPアクセス(3GPPアクセスネットワーク、3GPP ANとも称する)及び/又はnon-3GPPアクセス(non-3GPPアクセスネットワーク、non-3GPP ANとも称する)を介して、ネットワークサービスに対して接続可能な装置である。UEは、携帯電話やスマートフォン等の無線通信が可能な端末装置であってよく、EPSにも5GSにも接続可能な端末装置であってよい。UEは、UICC(Universal Integrated Circuit Card)やeUICC(Embedded UICC)を備えてもよい。尚、UEのことをユーザ装置と表現してもよいし、端末装置と表現してもよい。
【００２４】
また、アクセスネットワーク_Aは、E-UTRAN(Evolved Universal Terrestrial Radio Access Network)及び/又は無線LANアクセスネットワークに対応する。E-UTRANには、1以上のeNB(evolved Node B)45が配置される。尚、以下では、eNB45は、eNBのように記号を省略して記載する場合がある。また、複数のeNBがある場合は、各eNBは、例えばX2インターフェースにより、互いに接続されている。また、無線LANアクセスネットワークには、1以上のアクセスポイントが配置される。
【００２５】
また、アクセスネットワーク_Bは、5Gアクセスネットワーク(5G AN)に対応する。5G ANは、NG-RAN(NG Radio Access Network)及び/又はnon-3GPP アクセスネットワークで構成される。NG-RANには、1以上のgNB(NR NodeB)122が配置される。尚、以下では、gNB122は、eNBのように記号を省略して記載する場合がある。gNBは、NR(New Radio)ユーザプレーンと制御プレーンをUEに提供するノードであり、5GCNに対してNGインターフェース(N2インターフェース又はN3インターフェースを含む)を介して接続するノードである。すなわち、gNBは、5GSのために新たに設計された基地局装置であり、4GシステムであるEPSで使用されていた基地局装置(eNB)とは異なる機能を有する。また、複数のgNBがある場合は、各gNBは、例えばXnインターフェースにより、互いに接続している。
【００２６】
また、以下では、E-UTRANやNG-RANは、3GPPアクセスと称することがある。また、無線LANアクセスネットワークやnon-3GPP ANは、non-3GPPアクセスと称することがある。また、アクセスネットワーク_Bに配置されるノードを、まとめてNG-RANノードとも称することがある。
【００２７】
また、以下では、アクセスネットワーク_A、及び/又はアクセスネットワーク_B、及び/又はアクセスネットワーク_Aに含まれる装置、及び/又はアクセスネットワーク_Bに含まれる装置は、アクセスネットワーク、又はアクセスネットワーク装置と称する場合がある。
【００２８】
また、コアネットワーク_Aは、EPC(Evolved Packet Core)に対応する。EPCには、例えば、MME(Mobility Management Entity)、SGW(Serving Gateway)、PGW(Packet Data Network Gateway)-U、PGW-C、PCRF(Policy and Charging Rules Function)、HSS(Home Subscriber Server)等が配置される。
【００２９】
また、コアネットワーク_Bは、5GCN(5G Core Network)に対応する。5GCNには、例えば、AMF(Access and Mobility Management Function)、UPF(User Plane Function)、SMF(Session Management Function)、PCF(Policy Control Function)、UDM(Unified Data Management)等が配置される。ここで、5GCNは、5GCと表現されてもよい。
【００３０】
また、以下では、コアネットワーク_A、及び/又はコアネットワーク_B、コアネットワーク_Aに含まれる装置、及び/又はコアネットワーク_Bに含まれる装置は、コアネットワーク、又はコアネットワーク装置と称する場合がある。
【００３１】
コアネットワーク(コアネットワーク_A及び/又はコアネットワーク_B)は、アクセスネットワーク(アクセスネットワーク_A及び/又はアクセスネットワーク_B)と、PDN及び/又はDNとを接続した移動体通信事業者(Mobile Network Operator; MNO)が運用するIP移動通信ネットワークの事であってもよいし、移動通信システム1を運用、管理する移動体通信事業者の為のコアネットワークでもよいし、MVNO(Mobile Virtual Network Operator)、MVNE(Mobile Virtual Network Enabler)等の仮想移動通信事業者や仮想移動体通信サービス提供者の為のコアネットワークでもよい。
【００３２】
また、図1では、PDNとDNが同一である場合が記載されているが、異なっていても良い。PDNは、UEに通信サービスを提供するDN(Data Network)であってよい。尚、DNは、パケットデータサービス網として構成されてもよいし、サービス毎に構成されてもよい。さらに、PDNは、接続された通信端末を含んでもよい。従って、PDNと接続する事は、PDNに配置された通信端末やサーバ装置と接続する事であってもよい。さらに、PDNとの間でユーザデータを送受信する事は、PDNに配置された通信端末やサーバ装置とユーザデータを送受信する事であってもよい。尚、PDNのことをDNと表現してもよいし、DNのことをPDNと表現してもよい。
【００３３】
また、以下では、アクセスネットワーク_A、コアネットワーク_A、PDN、アクセスネットワーク_B、コアネットワーク_B、DNの少なくとも一部、及び/又はこれらに含まれる1以上の装置を、ネットワーク又はネットワーク装置と呼称する場合がある。つまり、ネットワーク及び/又はネットワーク装置が、メッセージを送受信する、及び/又は手続きを実行するということは、アクセスネットワーク_A、コアネットワーク_A、PDN、アクセスネットワーク_B、コアネットワーク_B、DNの少なくとも一部、及び/又はこれらに含まれる1以上の装置が、メッセージを送受信する、及び/又は手続きを実行することを意味する。
【００３４】
また、UEは、アクセスネットワークに接続することができる。また、UEは、アクセスネットワークを介して、コアネットワークと接続する事ができる。さらに、UEは、アクセスネットワーク及びコアネットワークを介して、PDN又はDNに接続する事ができる。すなわち、UEは、PDN又はDNとの間で、ユーザデータを送受信(通信)する事ができる。ユーザデータを送受信する際は、IP(Internet Protocol)通信だけでなく、non-IP通信を用いてもよい。
【００３５】
ここで、IP通信とは、IPを用いたデータ通信の事であり、IPパケットにより、データの送受信が行われる。IPパケットは、IPヘッダとペイロード部で構成される。ペイロード部には、EPSに含まれる装置・機能や、5GSに含まれる装置・機能が送受信するデータが含まれてよい。また、non-IP通信とは、IPを用いないデータ通信の事であり、IPパケットの構造とは異なる形式により、データの送受信が行われる。例えば、non-IP通信は、IPヘッダが付与されていないアプリケーションデータの送受信によって実現されるデータ通信でもよいし、マックヘッダやEthernet(登録商標)フレームヘッダ等の別のヘッダを付与してUEが送受信するユーザデータを送受信してもよい。
【００３６】
[2. 各装置の構成]
次に、各実施形態で使用される各装置(UE、及び/又はアクセスネットワーク装置、及び/又はコアネットワーク装置)の構成について、図を用いて説明する。尚、各装置は、物理的なハードウェアとして構成されても良いし、汎用的なハードウェア上に構成された論理的な(仮想的な)ハードウェアとして構成されても良いし、ソフトウェアとして構成されても良い。また、各装置の持つ機能の少なくとも一部(全部を含む)が、物理的なハードウェア、論理的なハードウェア、ソフトウェアとして構成されても良い。
【００３７】
尚、以下で登場する各装置・機能内の各記憶部(記憶部_A340、記憶部_A440、記憶部_B540、記憶部_A640、記憶部_B740)は、例えば、半導体メモリ、SSD(Solid State Drive)、HDD(Hard Disk Drive)等で構成されている。また、各記憶部は、出荷段階からもともと設定されていた情報だけでなく、自装置・機能以外の装置・機能(例えば、UE、及び/又はアクセスネットワーク装置、及び/又はコアネットワーク装置、及び/又はPDN、及び/又はDN)との間で、送受信した各種の情報を記憶する事ができる。また、各記憶部は、後述する各種の通信手続き内で送受信する制御メッセージに含まれる識別情報、制御情報、フラグ、パラメータ等を記憶することができる。また、各記憶部は、これらの情報をUE毎に記憶してもよい。また、各記憶部は、5GSとEPSとの間のインターワークをした場合には、5GS及び/又はEPS内に含まれる装置・機能との間で送受信した制御メッセージやユーザデータを記憶することができる。このとき、N26インターフェースを介して送受信されたものだけでなく、N26インターフェースを介さずに送受信されたものも記憶することができる。
【００３８】
[2.1. UEの装置構成]
まず、UE(User Equipment)の装置構成例について、図3を用いて説明する。UEは、制御部_A300、アンテナ310、送受信部_A320、記憶部_A340で構成されている。制御部_A300、送受信部_A320、記憶部_A340は、バスを介して接続されている。送受信部_A320は、アンテナ310と接続している。
【００３９】
制御部_A300は、UE全体の動作・機能を制御する機能部である。制御部_A300は、必要に応じて、記憶部_A340に記憶されている各種プログラムを読み出して実行する事により、UEにおける各種の処理を実現する。
【００４０】
送受信部_A320は、アンテナを介して、アクセスネットワーク内の基地局装置(eNB又はgNB)と無線通信する為の機能部である。すなわち、UEは、送受信部_A320を用いて、アクセスネットワーク装置、及び/又はコアネットワーク装置、及び/又はPDN、及び/又はDNとの間で、ユーザデータ及び/又は制御情報を送受信することができる。
【００４１】
図2を参照して詳細に説明すると、UEは、送受信部_A320を用いることにより、LTE-Uuインターフェースを介して、E-UTRAN内の基地局装置(eNB)と通信することができる。また、UEは、送受信部_A320を用いることにより、5G AN内の基地局装置(gNB)と通信することができる。また、UEは、送受信部_A320を用いることにより、N1インターフェースを介してAMFとNAS(Non-Access-Stratum)メッセージの送受信をすることができる。ただし、N1インターフェースは論理的なものであるため、実際には、UEとAMFの間の通信は、5G ANを介して行われる。
【００４２】
記憶部_A340は、UEの各動作に必要なプログラム、ユーザデータ、制御情報等を記憶する為の機能部である。
【００４３】
[2.2. gNBの装置構成]
次に、gNBの装置構成例について、図4を用いて説明する。gNB は、制御部_B500、アンテナ510、ネットワーク接続部_B520、送受信部_B530、記憶部_B540で構成されている。制御部_B500、ネットワーク接続部_B520、送受信部_B530、記憶部_B540は、バスを介して接続されている。送受信部_B530は、アンテナ510と接続している。
【００４４】
制御部_B500は、gNB全体の動作・機能を制御する機能部である。制御部_B500は、必要に応じて、記憶部_B540に記憶されている各種プログラムを読み出して実行する事により、gNBにおける各種の処理を実現する。
【００４５】
ネットワーク接続部_B520は、gNBが、AMF及び/又はUPFと通信する為の機能部である。すなわち、gNBは、ネットワーク接続部_B520を用いて、AMF及び/又はUPFとの間で、ユーザデータ及び/又は制御情報を送受信することができる。
【００４６】
送受信部_B530は、アンテナ510を介して、UEと無線通信する為の機能部である。すなわち、gNBは、送受信部_B530を用いて、UEとの間で、ユーザデータ及び/又は制御情報を送受信することができる。
【００４７】
図2を参照して詳細に説明すると、5G AN内にあるgNBは、ネットワーク接続部_B520を用いることにより、N2インターフェースを介して、AMFと通信することができ、N3インターフェースを介して、UPFと通信することができる。また、gNBは、送受信部_B530を用いることにより、UEと通信することができる。
【００４８】
記憶部_B540は、gNBの各動作に必要なプログラム、ユーザデータ、制御情報等を記憶する為の機能部である。
【００４９】
[2.3. AMFの装置構成]
次に、AMFの装置構成例について、図5を用いて説明する。AMFは、制御部_B700、ネットワーク接続部_B720、記憶部_B740で構成されている。制御部_B700、ネットワーク接続部_B720、記憶部_B740は、バスを介して接続されている。AMFは、制御プレーンを扱うノードであってよい。
【００５０】
制御部_B700は、AMF全体の動作・機能を制御する機能部である。制御部_B700は、必要に応じて、記憶部_B740に記憶されている各種プログラムを読み出して実行する事により、AMFにおける各種の処理を実現する。
【００５１】
ネットワーク接続部_B720は、AMFが、5G AN内の基地局装置(gNB)、及び/又はSMF、及び/又はPCF、及び/又はUDM、及び/又はSCEFと接続する為の機能部である。すなわち、AMFは、ネットワーク接続部_B720を用いて、5G AN内の基地局装置(gNB)、及び/又はSMF、及び/又はPCF、及び/又はUDM、及び/又はSCEFとの間で、ユーザデータ及び/又は制御情報を送受信することができる。
【００５２】
図2を参照して詳細に説明すると、5GCN内にあるAMFは、ネットワーク接続部_A620を用いることにより、N2インターフェースを介して、gNBと通信することができ、N8インターフェースを介して、UDMと通信することができ、N11インターフェースを介して、SMFと通信することができ、N15インターフェースを介して、PCFと通信することができる。また、AMFは、ネットワーク接続部_A620を用いることにより、N1インターフェースを介して、UEとNASメッセージの送受信をすることができる。ただし、N1インターフェースは論理的なものであるため、実際には、UEとAMFの間の通信は、5G ANを介して行われる。また、AMFは、N26インターフェースをサポートする場合、ネットワーク接続部_A620を用いることにより、N26インターフェースを介して、MMEと通信することができる。
【００５３】
記憶部_B740は、AMFの各動作に必要なプログラム、ユーザデータ、制御情報等を記憶する為の機能部である。
【００５４】
尚、AMFは、N2インターフェースを用いたRANとの制御メッセージを交換する機能、N1インターフェースを用いたUEとのNASメッセージを交換する機能、NASメッセージの暗号化及び完全性保護を行う機能、登録管理(Registration management; RM)機能、接続管理(Connection management; CM)機能、到達可能性管理(Reachability management)機能、UE等の移動性管理(Mobility management)機能、UEとSMF間のSM(Session Management)メッセージを転送する機能、アクセス認証(Access Authentication、Access Authorization)機能、セキュリティアンカー機能(SEA; Security Anchor Functionality)、セキュリティコンテキスト管理(SCM; Security Context Management)機能、N3IWF(Non-3GPP Interworking Function)に対するN2インターフェースをサポートする機能、N3IWFを介したUEとのNAS信号の送受信をサポートする機能、N3IWFを介して接続するUEの認証する機能等を有する。
【００５５】
また、登録管理では、UEごとのRM状態が管理される。RM状態は、UEとAMFとの間で同期がとられていてもよい。RM状態としては、非登録状態(RM-DEREGISTERED state)と、登録状態(RM-REGISTERED state)がある。RM-DEREGISTERED状態では、UEはネットワークに登録されていないため、AMFにおけるUEコンテキストが、そのUEに対する有効な位置情報やルーティング情報を持っていない為、AMFはUEに到達できない状態である。また、RM-REGISTERED状態では、UEはネットワークに登録されているため、UEはネットワークとの登録が必要なサービスを受信することができる。尚、RM状態は、5GMM状態(5GMM state)と表現されてもよい。この場合、RM-DEREGISTERED状態は、5GMM-DEREGISTERED状態と表現されてもよいし、RM-REGISTERED状態は、5GMM-REGISTERED状態と表現されてもよい。
【００５６】
言い換えると、5GMM-REGISTEREDは、各装置が、5GMMコンテキストを確立した状態であってもよいし、PDUセッションコンテキストを確立した状態であってもよい。尚、各装置が5GMM-REGISTEREDである場合、UE_A10は、ユーザデータや制御メッセージの送受信を開始してもよいし、ページングに対して応答してもよい。さらに、尚、各装置が5GMM-REGISTEREDである場合、UE_A10は、初期登録のための登録手続き以外の登録手続き、及び/又はサービス要求手続きを実行してもよい。
【００５７】
さらに、5GMM-DEREGISTEREDは、各装置が、5GMMコンテキストを確立していない状態であってもよいし、UE_A10の位置情報がネットワークに把握されていない状態であってもよいし、ネットワークがUE_A10に到達不能である状態であってもよい。尚、各装置が5GMM-DEREGISTEREDである場合、UE_A10は、登録手続きを開始してもよいし、登録手続きを実行することで5GMMコンテキストを確立してもよい。
【００５８】
また、接続管理では、UEごとのCM状態が管理される。CM状態は、UEとAMFとの間で同期がとられていてもよい。CM状態としては、非接続状態(CM-IDLE state)と、接続状態(CM-CONNECTED state)がある。CM-IDLE状態では、UEはRM-REGISTERED状態にあるが、N1インターフェースを介したAMFとの間で確立されるNASシグナリング接続(NAS signaling connection)を持っていない。また、CM-IDLE状態では、UEはN2インターフェースの接続(N2 connection)、及びN3インターフェースの接続(N3 connection)を持っていない。一方、CM-CONNECTED状態では、N1インターフェースを介したAMFとの間で確立されるNASシグナリング接続(NAS signaling connection)を持っている。また、CM-CONNECTED状態では、UEはN2インターフェースの接続(N2 connection)、及び/又はN3インターフェースの接続(N3 connection)を持っていてもよい。
【００５９】
さらに、接続管理では、3GPPアクセスにおけるCM状態と、non-3GPPアクセスにおけるCM状態とで分けて管理されてもよい。この場合、3GPPアクセスにおけるCM状態としては、3GPPアクセスにおける非接続状態(CM-IDLE state over 3GPP access)と、3GPPアクセスにおける接続状態(CM-CONNECTED state over 3GPP access)とがあってよい。さらに、non-3GPPアクセスにおけるCM状態としては、non-3GPPアクセスにおける非接続状態(CM-IDLE state over non-3GPP access)と、non-3GPPアクセスにおける接続状態(CM-CONNECTED state over non-3GPP access)とがあってよい。尚、非接続状態はアイドルモード表現されてもよく、接続状態モードはコネクテッドモードと表現されてもよい。
【００６０】
尚、CM状態は、5GMMモード(5GMM mode)と表現されてもよい。この場合、非接続状態は、5GMM非接続モード(5GMM-IDLE mode)と表現されてもよいし、接続状態は、5GMM接続モード(5GMM-CONNECTED mode)と表現されてもよい。さらに、3GPPアクセスにおける非接続状態は、3GPPアクセスにおける5GMM非接続モード(5GMM-IDLE mode over 3GPP access)と表現されてもよいし、3GPPアクセスにおける接続状態は、3GPPアクセスにおける5GMM接続モード(5GMM-CONNECTED mode over 3GPP access)と表現されてもよい。さらに、non-3GPPアクセスにおける非接続状態は、non-3GPPアクセスにおける5GMM非接続モード(5GMM-IDLE mode over non-3GPP access)と表現されてもよいし、non-3GPPアクセスにおける接続状態は、non-3GPPアクセスにおける5GMM接続モード(5GMM-CONNECTED mode over non-3GPP access)と表現されてもよい。尚、5GMM非接続モードはアイドルモード表現されてもよく、5GMM接続モードはコネクテッドモードと表現されてもよい。
【００６１】
また、AMFは、コアネットワーク_B内に1以上配置されてもよい。また、AMFは、1以上のNSI(Network Slice Instance)を管理するNFでもよい。また、AMFは、複数のNSI間で共有される共有CPファンクション(CCNF; Common CPNF(Control Plane Network Function))でもよい。
【００６２】
尚、N3IWFは、UEが5GSに対してnon-3GPPアクセスを介して接続する場合に、non-3GPPアクセスと5GCNとの間に配置される装置及び/又は機能である。
【００６３】
[2.4. SMFの装置構成]
次に、SMFの装置構成例について、図5を用いて説明する。SMFは、制御部_B700、ネットワーク接続部_B720、記憶部_B740で構成されている。制御部_B700、ネットワーク接続部_B720、記憶部_B740は、バスを介して接続されている。SMFは、制御プレーンを扱うノードであってよい。
【００６４】
制御部_B700は、SMF全体の動作・機能を制御する機能部である。制御部_B700は、必要に応じて、記憶部_B740に記憶されている各種プログラムを読み出して実行する事により、SMFにおける各種の処理を実現する。
【００６５】
ネットワーク接続部_B720は、SMFが、AMF、及び/又はUPF、及び/又はPCF、及び/又はUDMと接続する為の機能部である。すなわち、SMFは、ネットワーク接続部_B720を用いて、AMF、及び/又はUPF、及び/又はPCF、及び/又はUDMとの間で、ユーザデータ及び/又は制御情報を送受信することができる。
【００６６】
図2を参照して詳細に説明すると、5GCN内にあるSMFは、ネットワーク接続部_A620を用いることにより、N11インターフェースを介して、AMFと通信することができ、N4インターフェースを介して、UPFと通信することができ、N7インターフェースを介して、PCFと通信することができ、N10インターフェースを介して、UDMと通信することができる。
【００６７】
記憶部_B740は、SMFの各動作に必要なプログラム、ユーザデータ、制御情報等を記憶する為の機能部である。
【００６８】
SMFは、PDUセッションの確立・修正・解放等のセッション管理(Session Management)機能、UEに対するIPアドレス割り当て(IP address allocation)及びその管理機能、UPFの選択と制御機能、適切な目的地(送信先)へトラフィックをルーティングする為のUPFの設定機能、NASメッセージのSM部分を送受信する機能、下りリンクのデータが到着したことを通知する機能(Downlink Data Notification)、AMF経由でN2インターフェースを介してANに送信される、AN特有の(ANごとの)SM情報を提供する機能、セッションに対するSSCモード(Session and Service Continuity mode)を決定する機能、ローミング機能等を有する。
【００６９】
[2.5. UPFの装置構成]
次に、UPFの装置構成例について、図5を用いて説明する。UPFは、制御部_B700、ネットワーク接続部_B720、記憶部_B740で構成されている。制御部_B700、ネットワーク接続部_B720、記憶部_B740は、バスを介して接続されている。UPFは、制御プレーンを扱うノードであってよい。
【００７０】
制御部_B700は、UPF全体の動作・機能を制御する機能部である。制御部_B700は、必要に応じて、記憶部_B740に記憶されている各種プログラムを読み出して実行する事により、UPFにおける各種の処理を実現する。
【００７１】
ネットワーク接続部_B720は、UPFが、5G AN内の基地局装置(gNB)、及び/又はSMF、及び/又はDNと接続する為の機能部である。すなわち、UPFは、ネットワーク接続部_B720を用いて、5G AN内の基地局装置(gNB)、及び/又はSMF、及び/又はDNとの間で、ユーザデータ及び/又は制御情報を送受信することができる。
【００７２】
図2を参照して詳細に説明すると、5GCN内にあるUPFは、ネットワーク接続部_A620を用いることにより、N3インターフェースを介して、gNBと通信することができ、N4インターフェースを介して、SMFと通信することができ、N6インターフェースを介して、DNと通信することができ、N9インターフェースを介して、他のUPFと通信することができる。
【００７３】
記憶部_B740は、UPFの各動作に必要なプログラム、ユーザデータ、制御情報等を記憶する為の機能部である。
【００７４】
UPFは、intra-RAT mobility又はinter-RAT mobilityに対するアンカーポイントとしての機能、DNに相互接続するための外部PDUセッションポイントとしての機能(つまり、DNとコアネットワーク_Bとの間のゲートウェイとして、ユーザデータを転送する機能)、パケットのルーティング及び転送する機能、1つのDNに対して複数のトラフィックフローのルーティングをサポートするUL CL(Uplink Classifier)機能、マルチホーム(multi-homed)PDUセッションをサポートするBranching point機能、user planeに対するQoS (Quality of Service) 処理機能、上りリンクトラフィックの検証機能、下りリンクパケットのバッファリング、下りリンクデータ通知(Downlink Data Notification)をトリガする機能等を有する。
【００７５】
また、UPFは、IP通信及び/又はnon-IP通信の為のゲートウェイでもよい。また、UPFは、IP通信を転送する機能を持ってもよく、non-IP通信とIP通信を変換する機能を持っていてもよい。さらに複数配置されるゲートウェイは、コアネットワーク_Bと単一のDNを接続するゲートウェイでもよい。尚、UPFは、他のNFとの接続性を備えてもよく、他のNFを介して各装置に接続してもよい。
【００７６】
尚、ユーザプレーン(user plane)は、UEとネットワークとの間で送受信されるユーザデータ(user data)のことである。ユーザプレーンは、PDNコネクション、又はPDUセッションを用いて送受信されてもよい。さらに、EPSの場合、ユーザプレーンは、LTE-Uuインターフェース、及び/又はS1-Uインターフェース、及び/又はS5インターフェース、及び/又はS8インターフェース、及び/又はSGiインターフェースを用いて送受信されてもよい。さらに、5GSの場合、ユーザプレーンは、UEとNG RANとの間のインターフェース、及び/又はN3インターフェース、及び/又はN9インターフェース、及び/又はN6インターフェースを介して送受信されてもよい。以下、ユーザプレーンは、U-Planeと表現されてもよい。
【００７７】
さらに、制御プレーン(control plane)は、UEの通信制御等を行うために送受信される制御メッセージのことである。制御プレーンは、UEとMMEとの間のNAS (Non-Access-Stratum)シグナリングコネクションを用いて送受信されてもよい。さらに、EPSの場合、制御プレーンは、LTE-Uuインターフェース、及びS1-MMEインターフェースを用いて送受信されてもよい。さらに、5GSの場合、制御プレーンは、UEとNG RANとの間のインターフェース、及びN2インターフェースを用いて送受信されてもよい。以下、制御プレーンは、コントロールプレーンと表現されてもよいし、C-Planeと表現されてもよい。
【００７８】
さらに、U-Plane(User Plane; UP)は、ユーザデータを送受信する為の通信路でもよく、複数のベアラで構成されてもよい。さらに、C-Plane(Control Plane; CP)は、制御メッセージを送受信する為の通信路でもよく、複数のベアラで構成されてもよい。
【００７９】
[2.6. その他の装置及び/又は機能の説明]
次に、その他の装置及び/又は機能について説明を行う。
【００８０】
PCFは、ポリシールールを提供する機能等を有する。
【００８１】
また、UDMは、認証情報処理(Authentication credential processing)機能、ユーザ識別処理機能、アクセス認証機能、登録/移動性管理機能、加入者情報の管理(subscription management)機能等を有する。
【００８２】
また、PCRFは、PGW及び/又はPDNに接続されており、データ配送に対するQoS管理を行う機能等を有する。例えば、UE_A10とPDN間の通信路のQoSの管理を行う。さらに、PCRFは、各装置がユーザデータを送受信する際に用いるPCC(Policy and Charging Control)ルール、及び/又はルーティングルールを作成、及び/又は管理する装置でもよい。
【００８３】
また、HSSは、MME及び/又はSCEFに接続されており、加入者情報の管理を行う機能等を有する。HSSの加入者情報は、例えばMMEのアクセス制御の際に参照される。さらに、HSSは、MMEとは異なる位置管理装置と接続されていてもよい。
【００８４】
また、SCEFは、DN及び/又はPDNとMMEとHSSとに接続されており、DN及び/又はPDNとコアネットワーク_Aとを繋ぐゲートウェイとしてユーザデータの転送を行う中継装置としての機能等を有する。尚、SCEFは、non-IP通信の為のゲートウェイでもよい。さらに、SCEFは、non-IP通信とIP通信を変換する機能を持っていてもよい。また、こうしたゲートウェイはコアネットワーク_Aに複数配置されてよい。SCEFはコアネットワークの外側に構成されてもよいし、内側に構成されてもよい。
【００８５】
[3.各実施形態における各種手続き及び用語・識別情報の説明]
次に、本実施形態における各実施形態における各種手続きの詳細手順を説明する前に、重複説明を避ける為、本実施形態で特有の用語や、各手続きに用いる主要な識別情報を予め説明する。以下、各実施形態における各種手続きは、本手続きとも称する。
【００８６】
ネットワークとは、アクセスネットワーク_B、コアネットワーク_B、DNのうち、少なくとも一部を指す。また、アクセスネットワーク_B、コアネットワーク_B、DNのうち、少なくとも一部に含まれる1以上の装置を、ネットワーク又はネットワーク装置と称してもよい。つまり、ネットワークがメッセージの送受信及び/又は処理を実行するということは、ネットワーク内の装置(ネットワーク装置、及び/又は制御装置)がメッセージの送受信及び/又は処理を実行することを意味してもよい。逆に、ネットワーク内の装置がメッセージの送受信及び/又は処理を実行するということは、ネットワークがメッセージの送受信及び/又は処理を実行することを意味してもよい。
【００８７】
また、SM(セッションマネジメント)メッセージ(NAS (Non-Access-Stratum) SMメッセージとも称する)は、SMのための手続きで用いられるNASメッセージであってよく、AMF_A240を介してUE_A10とSMF_A230の間で送受信される制御メッセージであってよい。さらに、SMメッセージには、PDUセッション確立要求メッセージ、PDUセッション確立受諾メッセージ、PDUセッション完了メッセージ、PDUセッション拒絶メッセージ、PDUセッション変更要求メッセージ、PDUセッション変更受諾メッセージ、PDUセッション変更応答メッセージ等が含まれてもよい。また、SMのための手続きには、PDUセッション確立手続きが含まれてもよい。
【００８８】
また、5GS(5G System)サービスは、コアネットワーク_B190を用いて提供される接続サービスでよい。さらに、5GSサービスは、EPSサービスと異なるサービスでもよいし、EPSサービスと同様のサービスでもよい。
【００８９】
また、non 5GSサービスは、5GSサービス以外のサービスでよく、EPSサービス、及び/又はnon EPSサービスが含まれてもよい。
【００９０】
また、PDN(Packet Data Network)タイプとは、PDNコネクションのタイプを示すものであり、IPv4、IPv6、IPv4v6、non-IPがある。IPv4が指定された場合、IPv4を用いてデータの送受信を行う事を示す。IPv6が指定された場合は、IPv6を用いてデータの送受信を行う事を示す。IPv4v6が指定された場合は、IPv4又はIPv6を用いてデータの送受信を行う事を示す。non-IPが指定された場合は、IPを用いた通信ではなく、IP以外の通信方法によって通信する事を示す。
【００９１】
また、PDU(Protocol Data Unit/Packet Data Unit)セッションとは、PDU接続性サービスを提供するDNとUEとの間の関連性として定義することができるが、UEと外部ゲートウェイとの間で確立される接続性であってもよい。UEは、5GSにおいて、アクセスネットワーク_B及びコアネットワーク_Bを介したPDUセッションを確立することにより、PDUセッションを用いて、DNとの間のユーザデータの送受信を行うことができる。ここで、この外部ゲートウェイとは、UPF、SCEF等であってよい。UEは、PDUセッションを用いて、DNに配置されるアプリケーションサーバー等の装置と、ユーザデータの送受信を実行する事ができる。
【００９２】
尚、各装置(UE、及び/又はアクセスネットワーク装置、及び/又はコアネットワーク装置)は、PDUセッションに対して、1以上の識別情報を対応づけて管理してもよい。尚、これらの識別情報には、DNN、QoSルール、PDUセッションタイプ、アプリケーション識別情報、NSI識別情報、アクセスネットワーク識別情報、及びSSC modeのうち1以上が含まれてもよいし、その他の情報がさらに含まれてもよい。さらに、PDUセッションを複数確立する場合には、PDUセッションに対応づけられる各識別情報は、同じ内容でもよいし、異なる内容でもよい。
【００９３】
また、DNN(Data Network Name)は、コアネットワーク及び/又はDN等の外部ネットワークを識別する識別情報でよい。さらに、DNNは、コアネットワークB190を接続するPGW_A30/UPF_A235等のゲートウェイを選択する情報として用いることもできる。さらに、DNNは、APN(Access Point Name)に相当するものでもよい。
【００９４】
また、PDU(Protocol Data Unit/Packet Data Unit)セッションタイプは、PDUセッションのタイプを示すものであり、IPv4、IPv6、Ethernet、Unstructuredがある。IPv4が指定された場合、IPv4を用いてデータの送受信を行うことを示す。IPv6が指定された場合は、IPv6を用いてデータの送受信を行うことを示す。Ethernetが指定された場合は、Ethernetフレームの送受信を行うことを示す。また、Ethernetは、IPを用いた通信を行わないことを示してもよい。Unstructuredが指定された場合は、Point-to-Point(P2P)トンネリング技術を用いて、DNにあるアプリケーションサーバー等にデータを送受信することを示す。P2Pトンネリング技術としては、例えば、UDP/IPのカプセル化技術を用いても良い。尚、PDUセッションタイプには、上記の他にIPが含まれても良い。IPは、UEがIPv4とIPv6の両方を使用可能である場合に指定する事ができる。
【００９５】
また、ネットワークスライス(NS)とは、特定のネットワーク能力及びネットワーク特性を提供する論理的なネットワークである。UE及び/又はネットワークは、5GSにおいて、ネットワークスライス(NWスライス; NS)をサポートすることができる。
【００９６】
また、ネットワークスライスインスタンス(NSI)とは、ネットワーク機能(NF)のインスタンス(実体)と、必要なリソースのセットで構成され、配置されるネットワークスライスを形成する。ここで、NFとは、ネットワークにおける処理機能であって、3GPPで採用又は定義されたものである。NSIはコアネットワーク_B内に1以上構成される、NSの実体である。また、NSIはNST(Network Slice Template)を用いて生成された仮想的なNF(Network Function)により構成されてもよい。ここで、NSTとは、要求される通信サービスや能力(capability)を提供する為のリソース要求に関連付けられ、1以上のNFの論理的表現である。つまり、NSIとは、複数のNFにより構成されたコアネットワーク_B190内の集合体でよい。また、NSIはサービス等によって配送されるユーザデータを分ける為に構成された論理的なネットワークでよい。NSには、1以上のNFが構成されてよい。NSに構成されるNFは、他のNSと共有される装置であってもよいし、そうでなくてもよい。UE、及び/又ネットワーク内の装置は、NSSAI、及び/又はS-NSSAI、及び/又はUE usage type、及び/又は1以上のNSI ID等の登録情報、及び/又はAPNに基づいて、1以上のNSに割り当てられることができる。尚、UE usage typeは、NSIを識別するための使用される、UEの登録情報に含まれるパラメータ値である。UE usage typeはHSSに記憶されていてよい。AMFはUE usage typeに基づきSMFとUPFを選択してもよい。
【００９７】
また、S-NSSAI(Single Network Slice Selection Assistance Information)は、NSを識別するための情報である。S-NSSAIは、SST(Slice/Service type)のみで構成されてもよいし、SSTとSD(Slice Differentiator)の両方で構成されてもよい。ここで、SSTとは、機能とサービスの面で期待されるNSの動作を示す情報である。また、SDは、SSTで示される複数のNSIから1つのNSIを選択する際に、SSTを補間する情報であってもよい。S-NSSAIは、PLMNごとに特有な情報であってもよいし、PLMN間で共通化された標準の情報であってもよい。また、ネットワークは、デフォルトS-NSSAIとして、UEの登録情報に1以上のS-NSSAIを記憶してもよい。尚、S-NSSAIがデフォルトS-NSSAIである場合において、UEが登録要求メッセージにおいて有効なS-NSSAIをネットワークに送信しないときは、ネットワークは、UEに関係するNSを提供してもよい。
【００９８】
また、NSSAI(Network Slice Selection Assistance Information)は、S-NSSAIの集まりである。NSSAIに含まれる、各S-NSSAIはアクセスネットワーク又はコアネットワークがNSIを選択するのをアシストする情報である。UEはPLMNごとにネットワークから許可されたNSSAIを記憶してもよい。また、NSSAIは、AMFを選択するのに用いられる情報であってよい。
【００９９】
また、requested NSSAIは、UEが登録したい1又は複数ネットワークスライスを示す1又は複数のS-NSSAIを含む情報である。requested NSSAIに含まれるS-NSSAIはrequested S-NSSAIと表現されてもよい。
【０１００】
また、allowed NSSAIは、UEが許可された1又は複数ネットワークスライスを示す1又は複数のS-NSSIを含む情報である。UEとネットワークはそれぞれ、UEの情報として、allowed NSSAIを記憶、管理する。allowed NSSAIに含まれるS-NSSAIはallowed S-NSSAIと表現されてもよい。
【０１０１】
また、rejected NSSAIは、UEからネットワークに送信されたrequested NSSAIに含まれるS-NSSAI(s)のうち、ネットワークが許可しない1又は複数のネットワークスライスを示す1又は複数のS-NSSAIを含む。さらに、rejected NSSAIに含まれるS-NSSAIごとに、拒絶理由を示す理由値(cause)が、rejected NSSAIに含まれてよい。rejected NSSAIに含まれるS-NSSAIはrejected S-NSSAIと表現されてもよい。
【０１０２】
また、5GMM-CONNECTED mode with RRC inactive indicationは、RRCレイヤが非有効化(inactive)な状態にも関わらず、NASレイヤの状態がコネクティッド状態であることを示す状態である。言い換えると、5GMM-CONNECTED mode with RRC inactive indicationは、NASシグナリングコネクション、及び/又はNASシグナリングコネクションのコンテキストを維持しつつ、無線ベアラが解放された状態である。
【０１０３】
尚、5GMM-CONNECTED mode with RRC inactive indicationのサポートとは、RRCレイヤが非有効化になったことを示す通知を下位レイヤから受けた場合でも、NASレイヤの状態をコネクティッド状態に維持することがサポートされていることを意味してもよい。さらに、5GMM-CONNECTED mode with RRC inactive indicationの使用とは、RRCレイヤが非有効化になったことを示す通知を下位レイヤから受けた場合でも、NASレイヤの状態をコネクティッド状態に維持することを意味してもよい。
【０１０４】
トラッキングエリアは、コアネットワークが管理する、UE_A10の位置情報で表すことが可能な単数又は複数の範囲である。トラッキングエリアは、複数のセルで構成されもよい。さらに、トラッキングエリアは、ページング等の制御メッセージがブロードキャストされる範囲でもよいし、UE_A10がハンドオーバー手続きをせずに移動できる範囲でもよい。さらに、トラッキングエリアは、ルーティングエリアでもよいし、ロケーションエリアでもよいし、これらと同様のものであればよい。以下、トラッキングエリアはTA(Tracking Area)であってもよい。
【０１０５】
TAリストは、ネットワークがUE_A10に割り当てた一又は複数のTAが含まれるリストである。なお、UE_A10は、TAリストに含まれる一又は複数のTA内を移動している間は、トラッキングエリア更新手続きを実行することなく移動することができてよい。言い換えると、UE_A10は、TAリストは、UE_A10がトラッキングエリア更新手続きを実行することなく移動できるエリアを示す情報群であってよい。尚、TAリストは、一又複数のTAI (Tracking area identity) で構成されるTAIリストと表現されてもよく、以下、TAIリストは、TAリストを指してもよい。
【０１０６】
UE IDとは、UEを識別する為の情報である。具体的に、例えば、UE IDは、SUCI(SUbscription Concealed Identifier)、又はSUPI(Subscription Permanent Identifier )、又はGUTI(Globally Unique Temporary Identifier)、又はIMEI(International Mobile Subscriber Identity)、又はIMEISV(IMEI Software Version)又は、TMSI(Temporary Mobile Subscriber Identity )であってもよい。又は、UE IDはアプリケーションまたはネットワーク内で設定されたその他の情報であってもよい。さらに、UE IDは、ユーザを識別する為の情報であってもよい。
【０１０７】
また、Non-Public Network(NPN)は、一般利用を目的とせず、企業など私的利用など、特定の利用者が特定の目的で利用する非公開ネットワークである。NPNにはStand-alone Non-Public Network (SNPN)とPublic network integrated NPNの2種類が存在する。なお、以下にNPNと記載した場合、SNPNとPublic network integrated NPNの両方を意味してよい。SNPNは、NPNオペレータにより運用され、PLMNにより提供される機能部からの影響を受けない。つまり、言い換えるとSNPNは一般に公開されるPLMNとは独立したNPN専用のネットワークである。また、Public network integrated NPNはPLMNの機能部を利用して実される。つまり、言い換えると Public network integrated NPNは、PLMN内で仮想的に実現するNPNである。
【０１０８】
さらに、Public network integrated NPNの詳細な説明をする。Public network integrated NPNは、PLMNを介して作成可能なNPNである。Public network integrated NPNは例えば、ネットワークスライスの機能を用いて実現してもよい。具体的には、NPNのために割り当てられたネットワークスライスを用いることにより実現可能である。Public network integrated NPNは、S-NSSAIで識別されてもよいし、S-NSSAIとCAG IDの組み合わせにより識別されてもよい。
【０１０９】
また、CAG(Closed Access Groups) IDは、CAGに関連付けられた1又は複数のセルに接続が許可された登録者(subscriber)のグループを識別する情報であり、CAGは、CAG IDにより識別されるグループである。CAGは、Public network integrated NPNを、ネットワークスライスで実現する際に利用されるグループである。CAGは、NPNの為に割り当てられたネットワークスライスに、NPNが許可されないUEから、アクセスを試みないようにするために使用される。CAG IDは、PLMN内でユニークな情報である。
【０１１０】
また、NID(Network identifier)は、ネットワークを識別する情報である。NPNは、PLMNとNIDの組み合わせにより識別されてもよい。NIDは、SNPN内でユニークな情報であってもよいし、世界的にユニークな情報であってもよい。
【０１１１】
ここで、NPNを示す情報は、S-NSSAI、及び/又はNID、及び/又はCAG ID、及び/又はNID、及び/又はDNN、及び/又はPLMN IDのうち、１または複数で識別される情報であってよい。具体的には、例えば、NPNを示す情報は、S-NSSAIと、CAG IDで識別される情報であってもよいし、PLMN IDとNIDで識別される情報であってもよいし、S-NSSAIとNIDで識別される情報であってもよいし、S-NSSAIとDNNで識別される情報であってもよい。または、NPNを示す情報は、S-NSSAIであってもよい。なお、「NPNを示す情報に上記の情報が含まれる場合」とは、「NPNを示す情報が上記の情報である場合」を含む。例えば、「NPNを示す情報にS-NSSAIが含まれる場合」とは「NPNを示す情報がS-NSSAIである場合」を含める。
【０１１２】
また、NPN内で高い優先度で接続可能なUEとは、特定のNPN内でアクセス制御の対象外として優先的に接続を要求できる、及び制御メッセージの送受信を制限されないUEである。具体的に、例えば、NPN内で高い優先度で接続可能なUEは、AMF及び/又はSMFがMM(Mobility Management)信号の輻輳またはDNN(Data Network Name)ベースの輻輳及び／又はネットワークスライスベースの輻輳を検知し、輻輳制御手続きを開始している状態であっても、輻輳を理由に要求を拒絶されないUEであってよい。
【０１１３】
なお、本稿では、NPN内で高い優先度で接続可能なUEは、NPN内で高い優先度で接続が許可されているUEや、NPN内で高い優先度で接続が可能なUEや、NPN内で高い優先度で設定されているUEや、NPN内で高い優先度で登録されているUEや、NPN内で優先度が高いUEとして設定されているUEや、NPN内で優先度が高いUEとして登録されているUE、と表現される場合がある。さらに、このNPNは、UEが高い優先度で接続が許可されるNPNと表現される場合がある。
【０１１４】
次に、本実施形態における識別情報について説明する。
【０１１５】
第1の情報は、要求する1又は複数のNPNを示す情報であってよい。第1の情報は、S-NSSAI、及び/又はrequested NSSAIに含まれるS-NSSAI、及び/又はNID、及び/又はCAG ID、及び/又はNID、及び/又はDNNのうち、1以上で識別される情報であってよい。さらに、第1の識別情報は、複数の識別情報の組み合わせを、複数組含む情報群であってよく、具体的に例えば、第1の識別情報は、複数のS-NSSAIとCAG IDの組み合わせを含む情報群であってよい。第1の情報は、UEが要求するS-NSSAIがNPNのためのスライスであることを示す情報であってもよい。
【０１１６】
第2の情報は、UEにより要求されるNPN内で優先度が高いUEであることを示す情報、及び/又はUEにより要求されるNPN内で優先度が高いUEとして登録されることを要求することを示す情報であってよい。または、第2の識別情報は、UEにより要求されるNPN内で優先度が高いUEであるか否かを示す情報、及び/又はUEにより要求されるNPN内で優先度が高いUEとして登録されることを要求するか否かを示す情報であってよい。第2の情報は、第1の情報と紐づけられていてよい。第1の情報が、複数のNPNを示す情報である場合、第2の識別情報は、第1の識別情報に含まれる、それぞれのNPNに対応づけられていてもよい。例えば、第1の識別情報に、複数のS-NSSAIが含まれる場合、S-NSSAIごとに、UEがS-NSSAI内で高い優先度で接続が許可されているか否かを示してもよい。なお、ここで、NPN内で優先度が高いUEとは、NPN内で高い優先度で接続可能なUEと同義であってよい。第3の識別情報は、UEがNPNの接続を要求することを示す情報であってよい。第3の識別情報は、UEが要求するNPNを示す情報であってよく、例えば、第1の識別情報であってよい。具体的には、第3の識別情報は、UEが接続を要求するNPNのためのネットワークスライスを示す情報であってよく、requested NSSAIに含まれるS-NSSAIであってもよい。また、第3の識別情報は、UEがNPNへの接続が許可されている事を示す情報であってもよく、例えば第4の識別情報であってもよい。また、第3の識別情報は、UEがNPNへの接続を要求することを示すフラグであってもよい。また、第3の識別情報は、これらの情報のうち複数を組み合わせた情報であってもよい。
【０１１７】
第4の識別情報は、UEの能力情報(UE capability)であってよい。第4の識別情報は、UEがNPNへの接続が許可されている事を示す情報であってよく、UEが接続を許可される1又は複数のNPNを示す情報であってもよい。さらに、第4の識別情報は、要求するNPN内で高い優先度で接続が許可されるUEとして動作可能であることを示す情報であってよい。第14の識別情報は、UEがNPNに関する機能をサポートする事を示す情報であってよい。
【０１１８】
第11の識別情報は、UEが高い優先度で接続するUEとして設定されている、NPNを示す情報のリストであってよい。具体的には、第11の識別情報は1又は複数のNPNを示す情報により構成されるリストであってよい。第11の識別は、UE contextに含まれる情報であってよい。第11の識別情報は、AMFがUDMから取得した情報、又はAMFがUDMから取得した情報に基づき構成する情報であってよい。第11の識別情報は、UEにより要求されたNPN内で高い優先度で接続する事が許可された事を示す情報であってよい。
【０１１９】
第12の識別情報は、rejected NSSAIを示す情報、及び、輻輳により拒絶する事を示す理由値(cause value）であってよい。第12の識別情報は、rejected NSSAIを示す情報とは別の識別情報であってよく、その場合第12の識別情報は輻輳により拒絶する事を示す理由値(cause）であってよく、rejected NSSAIに含まれるSNSSAIと紐づけられていて良い。
【０１２０】
第13の識別情報は、back off timerの値を示す情報である。AMFは、UEとネットワークスライスとに紐づけて第13の識別情報を記憶していてもよい。第13の識別情報は、rejected NSSAIと紐づいて記憶されてよい。
【０１２１】
第14の識別情報は、UEがNPNへの接続が許可された事を示す情報である。第14の識別情報は、UEが許可されたNPNを示す情報であってよい。NPNを示す情報にS-NSSAIが含まれる場合、第14の識別情報は更に、allowed NSSAIに含まれるS-NSSAIがNPNの為のS-NSSAIであることを示す情報であってもよい。第14の識別情報は、S-NSSAIに含まれるSSTまたはSDであってもよいし、allowed NSSAIに含まれるS-NSSAIであってもよい。第14の識別情報は、allowed NSSAIに含まれるS-NSSAIに紐づけられた情報であってもよい。
【０１２２】
第15の識別情報は、ネットワークの能力情報(UE capability)であってよい。第15の識別情報は、ネットワークがNPNへの接続をサポートする事を示す情報であってよい。例えばNPNがS-NSSAIで識別される場合、第15の識別情報は、ネットワークがNPNの為のS-NSSAIへの接続をサポートしない事を示す。第15の識別情報は、rejecte NSSAIに含まれる理由値(cause)であってよい。
【０１２３】
第21の識別情報は、UEが要求するNPNにおいて、UEが高い優先度で接続が可能なUEではない事を示す情報である。第21の識別情報は、拒絶理由を示す理由値(Cause value)であってよい。第21の識別情報は、拒絶するNPNを示す情報を含めてもよい。
【０１２４】
第22の識別情報は、UEが高い優先度で接続するUEとして設定されている、NPNを示す情報のリストであってよい。具体的には、第22の識別情報は1又は複数のNPNを示す情報により構成されるリストであってよい。第22の識別は、UE contextに含まれる情報であってよい。第22の識別情報は、AMFがUDMから取得した情報、又はAMFがUDMから取得した情報に基づき構成する情報であってよい。第22の識別情報は、UEにより要求されたNPN内で高い優先度で接続する事が拒絶された事を示す情報であってよい。
【０１２５】
第31の識別情報は、UEが要求するNPNで、高い優先度で接続可能なUEであることを示す情報である。第31の識別情報は、要求する1または複数のNPNを示す情報を含めてもよい。第31の識別情報は、サービスタイプを示す情報であってもよい。具体的には、第31の識別情報は、UEが高い優先度で接続可能なUEであることを意味するサービスタイプであってもよい。
【０１２６】
第41の識別情報は、要求するNPNを示す情報である。第41の識別情報は、UEがNPNへのPDUセッションの確立を要求することを示す情報であってもよい。第41の識別情報は、要求するNPNごとの、ネットワークにNPNの為の追加の認証/承認手続きの実行を要求する為の情報であってもよい。なお、第41の識別情報は、要求するNPNを示す情報と、要求するNPNごとの、ネットワークにNPNの為の追加の認証/承認手続きの実行を要求する為の情報を異なる情報とし使用してもよい。
【０１２７】
第42の識別情報は、UEが、要求するNPN内で高い優先度で接続が可能なUEとして設定及び/又は登録されたUEであることを示す情報である。第42の識別情報は第41の識別情報と紐づけられていてもよい。第42の識別情報は、ネットワークにNPNの為の認証/承認手続きの実行を要求する為の情報であってもよい。
【０１２８】
第51の識別情報は、PDUセッションの確立が許可されたNPNを示す情報である。第51の識別情報は、確立されたPDUセッションがNPNへ確立されたPDUセッション、及び/又はNPNを介して確立されたPDUセッションであることを示す情報であってもよい。第51の識別情報は、NPNを示す情報であってよい。
【０１２９】
第52の識別情報は、NPNの為の追加の認証/承認手続きの実行の結果であってよい。第52の識別情報は、UEが要求するNPNの為の追加の認証/承認手続きの結果、NPNへの接続が許可された事を示す情報であってよい。
【０１３０】
第61の識別情報は、UEが高い優先度で接続するUEとして設定されている、NPNを示す情報のリストであってよい。具体的には、第61の識別情報は1又は複数のNPNを示す情報により構成されるリストであってよい。第61の識別は、UE contextに含まれる情報であってよい。第61の識別情報は、AMFがUDMから取得した情報、又はAMFがUDMから取得した情報に基づき構成する情報であってよい。第61の識別情報は、UEが要求するNPN内で高い優先度で接続できるUEではない事を示す情報であってもよい。第61の識別情報は、拒絶の理由を示す理由値(Cause value)であってもよい。
【０１３１】
第62の識別情報は、UEが要求するNPNの為の追加の認証/承認手続きにより、UEが要求するNPNの為の追加の認証/承認手続きの結果、NPNへの接続が許可されないことを示す情報である。第62の識別情報は、NPNへの接続が許可されないことに、UEの要求を拒絶する事を示す理由値(Cause value)であってよい。
【０１３２】
第71の識別情報は、UEが高い優先度で接続するUEとして設定されている、NPNを示す情報のリストであってよい。具体的には、第71の識別情報は1又は複数のNPNを示す情報により構成されるリストであってよい。第71の識別は、UE contextに含まれる情報であってよい。第61の識別情報は、AMFがUDMから取得した情報、又はAMFがUDMから取得した情報に基づき構成する情報であってよい。第71の識別情報は、UEへUEが高い優先度で接続するUEとして設定されているNPNのリストに、追加及び/又は削除及び/又は変更が発生した事を通知する情報であってよい。
【０１３３】
尚、各装置は、報知情報及び/又はRRC手続き及び/又はコアネットワークへの登録手続き及び/又は緊急呼のためのサービス要求手続きにおいて、各装置の各種能力情報及び/又は各種要求情報を交換及び/又は取得してもよい。
【０１３４】
また、本手続きに関わる各装置は、本手続きで説明する各制御メッセージを送受信することにより、各制御メッセージに含まれる1以上の識別情報を送受信し、送受信した各識別情報をコンテキストとして記憶してもよい。
【０１３５】
尚、簡単化のために、サービス要求手続き及び/又はPDUセッション確立手続き及び/又はIMS登録手続き及び/又はIMS緊急呼接続手続きを含めて緊急呼接続処理と称することがある。
【０１３６】
[3.1. 各実施形態で用いられる手続きの説明]
次に、各実施形態で用いられる手続きについて説明する。尚、各実施形態で用いられる手続きには、登録手続き(Registration procedure)、サービス要求手続き(Sservice request procedure)、PDUセッション確立手続き(PDU session establishment procedure)、PDUセッション変更手続き(PDU session manganement procedure)、UE設定更新手続き(Generic UE configuration update procedure)が含まれる。以下、各手続きについて説明していく。
【０１３７】
尚、各実施形態では、図2に記載されているように、HSSとUDM、PCFとPCRF、SMFとPGW-C、UPFとPGW-Uが、それぞれ同一の装置(つまり、同一の物理的なハードウェア、又は同一の論理的なハードウェア、又は同一のソフトウェア)として構成されている場合を例にとって説明する。しかし、本実施形態に記載される内容は、これらが異なる装置(つまり、異なる物理的なハードウェア、又は異なる論理的なハードウェア、又は異なるソフトウェア)として構成される場合にも適用可能である。例えば、これらの間で、直接データの送受信を行ってもよいし、AMF、MME間のN26インターフェースを介してデータを送受信してもよいし、UEを介してデータを送受信してもよい。
【０１３８】
[3.2.登録手続き]
まず、登録手続き(Registration procedure)について、図6を用いて説明する。以下、本手続きとは登録手続きを指す。登録手続きは、UEが主導してアクセスネットワーク_B、及び/又はコアネットワーク_B、及び/又はDNへ登録する為の手続きである。UEは、ネットワークに登録していない状態であれば、例えば、電源投入時等の任意のタイミングで本手続きを実行することができる。言い換えると、UEは、非登録状態(RM-DEREGISTERED state)であれば任意のタイミングで本手続きを開始できる。また、各装置(特にUEとAMF)は、登録手続きの完了に基づいて、登録状態(RM-REGISTERED state)に遷移することができる。
【０１３９】
さらに、登録手続きは、ネットワークにおけるUEの位置登録情報を更新する、及び/又は、UEからネットワークへ定期的にUEの状態を通知する、及び/又は、ネットワークにおけるUEに関する特定のパラメータを更新する為の手続きであってもよい。
【０１４０】
UEは、TAを跨ぐモビリティをした際に、登録手続きを開始してもよい。言い換えると、UEは、保持しているTAリストで示されるTAとは異なるTAに移動した際に、登録手続きを開始してもよい。さらに、UEは、実行しているタイマが満了した際に本手続きを開始してもよい。さらに、UEは、PDUセッションの切断や無効化が原因で各装置のコンテキストの更新が必要な際に登録手続きを開始してもよい。さらに、UEは、UEのPDUセッション確立に関する、能力情報、及び/又はプリファレンスに変化が生じた場合、登録手続きを開始してもよい。さらに、UEは、定期的に登録手続きを開始してもよい。さらに、UEは、UE設定更新手続きの完了に基づいて、又は登録手続きの完了に基づいて、又はPDUセッション確立手続きの完了に基づいて、又はPDUセッションマネジメント手続きの完了に基づいて、又は各手続きでネットワークから受信した情報に基づいて、登録手続きを開始してもよい。尚、UEは、これらに限らず、任意のタイミングで登録手続きを実行することができる。
【０１４１】
まず、UE_A10が登録手続きを開始する前に、5GAN120(又はgNB_A122)は、近隣のUEに対してブロードキャスト情報を送信する(S601)。ブロードキャスト情報は、SIB(System Information Block)であってもよい。5GAN120(又はgNB_A122)は、ブロードキャスト情報に、PLMN ID及び/又はCAG ID及び/又はNIDを含めて送信してよい。なお、CAG ID及びNIDは、PLMN IDと対応付けられていてもよい。具体的に、例えば、5GAN120(又はgNB_A122)は、SNPNの為のアクセスネットワーク内の装置である場合、5GAN120(又はgNB_A122)はNPNの為のPLMN IDと、1又は複数のNIDをブロードキャスト情報に含め、5GAN120(又はgNB_A122)のセル内にいるUEに送信してよい。
【０１４２】
または、5GAN120(又はgNB_A122)が、Public network integrated NPNの為のアクセスネットワーク内の装置である場合、gNB_A122又はeNB_B145はPublic network integrated NPNを含むPLMNを示すPLMN IDと1又は複数のCAG IDをブロードキャスト情報に含め5GAN120(又はgNB_A122)のセル内にいるUEに送信してよい。
【０１４３】
また、5GAN120(又はgNB_A122)が、NPN専用のアクセスネットワークではない場合、つまり言い換えれば、NPNと他のPLMNでアクセスネットワークを共有する場合、5GAN120(又はgNB_A122)は、ブロードキャスト情報に、CAG ID及び/又はNIDを含めずに5GAN120(又はgNB_A122)のセル内にいるUEに送信してよい。
【０１４４】
UE_A10は、受信したブロードキャスト情報及び/又はブロードキャスト情報に含まれる1又は複数の情報に基づき、NPN及び/又はPLMNへの登録を要求することを決定し、以下の登録手続きを開始してもよい。
【０１４５】
まず、UEは、AMFに登録要求(Registration request)メッセージを送信することにより(S600)(S602)(S604)、登録手続きを開始する。具体的には、UEは、登録要求メッセージを含むRRCメッセージを、5G AN(又はgNB)に送信する(S600)。尚、登録要求メッセージは、N1インターフェース上で送受信されるNASメッセージである。また、RRCメッセージは、UEと5G AN(又はgNB)との間で送受信される制御メッセージであってよい。また、NASメッセージはNASレイヤで処理され、RRCメッセージはRRCレイヤで処理される。尚、NASレイヤはRRCレイヤよりも上位のレイヤである。
【０１４６】
ここで、UEは、少なくとも第1から4の識別情報の内、1つ以上の識別情報を、登録要求メッセージ及び/又はRRCメッセージに含めて送信する事ができるが、これらとは異なる制御メッセージ、例えば、RRCレイヤよりも下位のレイヤ(例えば、MACレイヤ、RLCレイヤ、PDCPレイヤ)の制御メッセージに含めて送信してもよい。尚、UEは、これらの識別情報を、送信することで、UEが各機能をサポートしていることを示してもよいし、UEの要求を示してもよいし、これら両方を示してもよい。さらに、複数の識別情報が送受信される場合、これらの識別情報の2以上の識別情報は、1以上の識別情報として構成されてもよい。尚、各機能のサポートを示す情報と、各機能の使用の要求を示す情報は、同じ識別情報として送受信されてもよいし、異なる識別情報として送受信されてもよい。
【０１４７】
UEは、NPNへの接続を要求する場合及び/又はNPNへの接続を要求することを決定した場合及び/又はアプリケーションレイヤ等の上位レイヤからの要求に基づき接続先をNPNに選択した場合、第1の要求を送信してよい。UEは、要求するネットワークがNPNであることを認識せずに、第1の識別情報をネットワークに送信してもよい。第1の識別情報を送信することにより、UEは、AMFに登録要求メッセージに含まれるUE IDを用いて、第1の識別情報に示されるNPNへの接続の認証/承認手続きを開始させてもよい。また、第1の識別情報を送信することにより、UEは、AMFにUEの設定情報を確認させてもよい。具体的には、AMFは第1の識別情報の受信に基づき、UE及び要求するNPNに紐づいて、高い優先度で接続が許可されているか否かを確認してもよい。
【０１４８】
さらに、UEは、NPNへの接続を要求する場合、及び/又はUEが要求するNPN内で高い優先度で接続が許可されるUEとして設定されている場合、及び/又はUEが要求するNPN内で高い優先度で接続が許可されるUEとして登録されることを要求する場合、第2の識別情報を送信してもよい。なお、UEは、NPNへの接続を要求するが、要求するNPN内で高い優先度で接続するUEとして登録する事を要求しない場合、第2の識別情報を送信しなくてもよい。第2の識別情報を送信することで、UEは、AMFにUEが要求するNPN内で、高い優先度で接続が許可されているかを確認させてもよい。
【０１４９】
さらに、UEは、NPNの接続を要求する場合、第3の識別情報を送信してもよい。UEは、第3の識別情報を送信することにより、ネットワークにUEが要求するネットワークはNPNであることを示してもよい。第3の識別情報を送信することで、UEは、AMFに、UEが要求するネットワークスライスがNPNの為のネットワークスライスであるかを確認させてもよい。
【０１５０】
さらに、UEは、NPNへの接続を要求する場合、及び/又はUEがNPNへ接続する機能をサポートする場合、第4の識別情報を送信してもよい。第4の識別情報を送信することで、UEは、AMFに、ネットワークの能力情報(Network capability)を確認させてもよい。
【０１５１】
なお、UEが記憶する第1から第4の識別情報は、UEが本手続き以前の手続きで取得した情報、及び/又はUEが本手続き以前の手続きで取得した情報に基づき生成された情報であってよい。具体的に、例えば第1の識別情報にS-NSSAIが含まれる場合、UEは本手続き以前の手続きにおいて、ネットワークからallowed NSSAIを受信しており、第1の識別情報に含まれるS-NSSAIは、記憶するallowed NSSAIに含まれるS-NSSAIであってよい。
【０１５２】
なお、本手続き以前の手続きとは、例えば本手続きが、UEの位置登録情報を更新する、及び/又は、UEからネットワークへ定期的にUEの状態を通知する、及び/又は、ネットワークにおけるUEに関する特定のパラメータを更新する為の登録手続きである場合、本手続きより前に発生している登録手続きであってよい。
【０１５３】
UEは、登録要求メッセージ及び/又は登録要求メッセージが含まれるRRCメッセージに第1から4の識別情報以外も含めてもよく、例えばUE ID及び/又はPLMN ID及び/又はrequested NSSAI及び/又はCAG ID及び/又はNIDを含めて送信してもよい。
【０１５４】
また、UEは、登録要求メッセージにSMメッセージ(例えば、PDUセッション確立要求メッセージ)を含めて送信することで、又は登録要求メッセージとともにSMメッセージ(例えば、PDUセッション確立要求メッセージ)を送信することで、登録手続き中にPDUセッション確立手続きを開始してもよい。
【０１５５】
5G AN(又はgNB)は、登録要求メッセージを含むRRCメッセージを受信すると、登録要求メッセージを転送するAMFを選択する(S602)。尚、5G AN(又はgNB)は、登録要求メッセージ及び/又はRRCメッセージに含まれる情報に基づいて、AMFを選択することができる。具体的には、5G AN(又はgNB)は、第1から4の識別情報の内、少なくとも1つの識別情報に基づいて、UEが要求するNPN内のAMFを選択してもよい。例えば、5G AN(又はgNB)は、第1の識別情報に基づき、第1の識別情報に示されるNPNに含まれるAMFを選択してもよいし、第1の識別情報に示されるNPNをサポートするAMFを選択してもよい。なお、その場合、5G AN(又はgNB)とAMF間では予め、AMFが含まれる及び/又はAMFがサポートするNPNに関する情報の交換、又はAMFから5G AN(又はgNB)への通知が発生している。
【０１５６】
なお、AMFの選択方法はこれに限られず、5G AN(又はgNB)はこれ以外の条件に基づきAMFを選択してもよい。5G AN(又はgNB)は、受信したRRCメッセージから登録要求メッセージを取り出し、選択したAMFに、登録要求メッセージを転送する(S604)。なお、第1から4の識別情報の内少なくとも1つの識別情報が、登録要求メッセージには含まれずRRCメッセージに含まれた場合、RRCメッセージに含まれた識別情報を、選択したAMFに、登録要求メッセージと一緒に転送してもよい(S604)。
【０１５７】
AMFは、登録要求メッセージを受信した場合、第1の条件判別を実行することができる。第1の条件判別とは、ネットワーク(又はAMF)がUEの要求を受諾するか否かを判別するためのものである。AMFは、第1の条件判別が真の場合、図6の(A)の手続きを開始するのに対し、第1の条件判別が偽の場合、図6の(B)の手続きを開始する。
【０１５８】
尚、第1の条件判別は、登録要求メッセージの受信、及び/又は登録要求メッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、実行されてもよい。例えば、UEの要求をネットワークが許可する場合、第1の条件判別は真であり、UEの要求をネットワークが許可しない場合、第1の条件判別は偽でよい。また、UEの登録先のネットワーク、及び/又はネットワーク内の装置が、UEの要求する機能をサポートしている場合、第1の条件判別は真であり、UEの要求する機能をサポートしていない場合、第1の条件判別は偽でよい。さらに、送受信される識別情報が許可される場合、第1の条件判別は真であり、送受信される識別情報が許可されない場合、第1の条件判別は偽でよい。また、AMFが登録手続き等の移動管理メッセージ(Mobility Management message)の送受信を、輻輳に基づき制限している場合、更にUEが、AMFが属するネットワーク(PLMN及び/又はNPN)内で高い優先度で接続が許可されるているUEでない場合、第1の条件判別は偽であり、UEが、AMFが属するネットワーク(PLMN及び/又はNPN)内で高い優先度で接続が許可されるているUEである場合、第1の条件判別は真であってよい。尚、第1の条件判別の真偽が決まる条件は前述した条件に限らなくてもよい。
【０１５９】
まず、第1の条件判別が真の場合について説明する。AMFは、図6の(A)の手続きにおいて、まず第4の条件判別を実行することができる。第4の条件判別は、AMFがSMFとの間でSMメッセージの送受信を実施するか否かを判別するためのものである。
【０１６０】
尚、第4の条件判別は、AMFがSMメッセージを受信したか否かに基づいて実行されてよい。また、第4の条件判別は、登録要求メッセージにSMメッセージが含まれているかに基づいて、実行されてもよい。例えば、AMFがSMメッセージを受信した場合、及び/又は登録要求メッセージにSMメッセージが含まれていた場合、第4の条件判別は真であってよく、AMFがSMメッセージを受信しなかった場合、及び/又は登録要求メッセージにSMメッセージが含まれていなかった場合、第4の条件判別は偽であってよい。尚、第4の条件判別の真偽が決まる条件は前述した条件に限らなくてもよい。
【０１６１】
AMFは、第4の条件判別が真の場合には、SMFを選択し、選択されたSMFとの間でSMメッセージの送受信を実行するのに対し、第4の条件判別が偽の場合には、それらを実行しない(S606)。また、AMFは、第4の条件判別が真の場合であっても、SMFから拒絶を示すSMメッセージを受信した場合には、図6の(A)の手続きを中止する場合がある。このとき、AMFは、図6の(B)の手続きを開始することができる。
【０１６２】
尚、AMFは、S606において、SMFとの間でSMメッセージの送受信を行う際に、登録要求メッセージで受信した識別情報をSMFに通知することができる。SMFは、AMFとの間で、SMメッセージの送受信によって、AMFから受信した識別情報を取得することができる。
【０１６３】
次に、AMFは、登録要求メッセージの受信、及び/又はSMFとの間のSMメッセージの送受信の完了に基づいて、登録要求メッセージに対する応答メッセージとして、5G AN(又はgNB)を介して、UEに登録受諾(Registration accept)メッセージを送信する(S608)。例えば、第4の条件判別が偽の場合、AMFは、UEからの登録要求メッセージの受信に基づいて、登録受諾メッセージを送信してもよい。また、第4の条件判別が真の場合、AMFは、SMFとの間のSMメッセージの送受信の完了に基づいて、登録受諾メッセージを送信してもよい。尚、登録受諾メッセージは、N1インターフェース上で送受信されるNASメッセージであるが、UEと5G AN(gNB)間はRRCメッセージに含まれて送受信される。
【０１６４】
AMFは、登録受諾メッセージに少なくとも第11から15の識別情報の内、1つ以上の識別情報を含めて送信してもよい。尚、AMFは、これらの識別情報及び/又は登録受諾メッセージを送信することで、ネットワークが各機能をサポートしていることを示してもよいし、UEの要求が受諾されたことを示してもよいし、これらを組み合わせた情報を示してもよい。さらに、複数の識別情報が送受信される場合、これらの識別情報の2以上の識別情報は、1以上の識別情報として構成されてもよい。尚、各機能のサポートを示す情報と、各機能の使用の要求を示す情報は、同じ識別情報として送受信されてもよいし、異なる識別情報として送受信されてもよい。
【０１６５】
AMFは、UEから第1から4の識別情報のうち、少なくともいずれかを受信した場合、及び/又はUEの設定情報の更新があった場合に、第11から15の識別情報の内少なくとも１つを送信してよい。
【０１６６】
UEは、第11の識別情報の受信に基づき、UEが記憶するhigh priority NPN listを更新、またはhigh priority NPN listを作成してもよい。なお、ここでUEが記憶するhigh priority NPN listとは、UEが高い優先度で接続が許可されているNPNを識別する為の者である。ここで、NPNを示す情報にS-NSSAIが含まれる場合、UEは、high priority NPN listの更新、又は作成の代わりに、UEが記憶するNSSAI情報(NSSAI storage)の更新を行ってもよい。具体的に、NPNを示す情報にS-NSSAIが含まれる場合、受信したS-NSSAIを、UEが高い優先度で接続が可能であるNPNを示すS-NSSAIのリストとして記憶してもよいし、allowed NSSAI又はConfigured NSSAI又はrejected NSSAIのリスト内の対応するS-NSSAIに、UEが高い優先度で接続が可能であるNPNを示すS-NSSAIであることを示すフラグを関連付けて記憶てもよい。
【０１６７】
UEは、第12の識別情報を受信した場合、NSSAI情報を更新してよい。具体的には、UEは、受信したrejected NSSAIに含まれるS-NSSAIを、理由値にもとづき、輻輳状態として管理してよい。さらに、UEは、第12の識別情報の受信に基づき、バックオフタイマのカウントを開始してもよい。なお、バックオフタイマはネットワークから受信した値であってもよいし、UEが予め保持する情報であってもよい。
【０１６８】
なお、NPNを示す情報にS-NSSAIが含まれていた場合、更に、UEが、拒絶されたS-NSSAIがサポートするNPN内で高い優先度で接続が許可されるUEである場合、第12の識別情報を受信してもバックオフタイマを開始しなくてもよい。
【０１６９】
UEは第13の識別情報を受信することで、バックオフタイマのカウントを開始してもよい。なお、NPNを示す情報にS-NSSAIが含まれていた場合、更に、UEが、拒絶されたS-NSSAIがサポートするNPN内で高い優先度で接続が許可されるUEである場合、第13の識別情報を受信してもバックオフタイマを開始しなくてもよい。
【０１７０】
UEは第14の識別情報を受信することで、UEの設定情報を更新してもよい。具体的には、UEは第14の識別情報に基づき、UEが許可されたNPNを識別する情報を記憶する。なお、NPNを識別する情報にS-NSSAIが含まれる場合、NSSAIに関する記憶を更新してもよい。具体的には、受信したS-NSSAIを、NPNを示すS-NSSAIのリストとして記憶してもよいし、allowed NSSAI又はConfigured NSSAI又はrejected NSSAIのリスト内の対応するS-NSSAIに、NPNを示すS-NSSAIであることを示すフラグを関連付けてきおくしてもよい。
【０１７１】
UEは、第15の識別情報の受信に基づき、ネットワークがNPNへの接続をサポートしていることを検知し、記憶してもよい。UEは、第15の識別情報の受信に基づき、NPNへの登録手続きを開始してもよいし、NPNを介した(又はNPNへの)PDUセッションの確立が許可された状態に遷移するための登録手続きを開始してもよい。
【０１７２】
なお、上記に示すUEが各識別情報の受信に基づき実行する各処理は、本手続き中、又は本手続き完了後に実行されてもよいし、本手続き完了後に、本手続き完了に基づき実行されてもよい。
【０１７３】
尚、AMFは、第11から15の識別情報の内、どの識別情報を登録受諾メッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。
【０１７４】
例えば、AMFは、UEが高い優先度で接続が許可されたNPNのリストの変更が発生した場、つまりAMFが保持するコンテキストの更新が発生した場合に、第11の識別情報を送信してもよい。
【０１７５】
例えば、AMFは、UEからrequested NSSAIを受信した場合、更にUEにより要求されたrequested NSSAIに含まれるS-NSSAIをallowed NSSAIに含めない場合、第12の識別情報を送信してもよい。例えば、AMFは、UEから第4の識別情報を受信した場合に第15の識別情報を送信してもよい。
【０１７６】
また、AMFは、登録受諾メッセージにSMメッセージ(例えば、PDUセッション確立受諾メッセージ)を含めて送信するか、又は登録受諾メッセージとともにSMメッセージ(例えば、PDUセッション確立受諾メッセージ)を送信することができる。ただし、この送信方法は、登録要求メッセージの中にSMメッセージ(例えば、PDUセッション確立要求メッセージ)が含められており、かつ、第4の条件判別が真の場合に、実行されてもよい。また、この送信方法は、登録要求メッセージとともにSMメッセージ(例えば、PDUセッション確立要求メッセージ)を含められており、かつ、第4の条件判別が真の場合に、実行されてもよい。AMFは、このような送信方法を行うことにより、登録手続きにおいて、SMのための手続きが受諾されたことを示すことができる。
【０１７７】
また、AMFは、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、登録受諾メッセージを送信することで、UEの要求が受諾されたことを示してもよい。
【０１７８】
UEは、5G AN(gNB)介して、登録受諾メッセージを受信する(S608)。UEは、登録受諾メッセージを受信することで、登録要求メッセージによるUEの要求が受諾されたこと、及び登録受諾メッセージに含まれる各種の識別情報の内容を認識することができる。
【０１７９】
UEは、さらに、登録受諾メッセージに対する応答メッセージとして、登録完了メッセージを、5G AN(gNB)介して、AMFに送信することができる(S610)。尚、UEは、PDUセッション確立受諾メッセージ等のSMメッセージを受信した場合は、登録完了メッセージに、PDUセッション確立完了メッセージ等のSMメッセージを含めて送信してもよいし、SMメッセージを含めることで、SMのための手続きが完了したことを示してもよい。ここで、登録完了メッセージは、N1インターフェース上で送受信されるNASメッセージであるが、UEと5G AN(gNB)間はRRCメッセージに含まれて送受信される。
【０１８０】
AMFは、5G AN(gNB)介して、登録完了メッセージを受信する(S610)。また、各装置は、登録受諾メッセージ、及び/又は登録完了メッセージの送受信に基づき、図6の(A)の手続きを完了する。
【０１８１】
次に、第1の条件判別が偽の場合について説明する。AMFは、図6の(B)の手続きにおいて、登録要求メッセージに対する応答メッセージとして、5G AN(gNB)を介して、UEに登録拒絶(Registration reject)メッセージを送信する(S612)。ここで、登録拒絶メッセージは、N1インターフェース上で送受信されるNASメッセージであるが、UEと5G AN(gNB)間はRRCメッセージに含まれて送受信される。
【０１８２】
尚、AMFは、登録拒絶メッセージを送信することで、登録要求メッセージによるUEの要求が拒絶されたことを示してもよい。AMFは、第21から22の識別情報のうち少なくとも1つを登録拒絶メッセージ及び/又はNASメッセージ及び/又はRRCメッセージに含めて送信してよい。AMFは、第1から4の識別情報の内少なくとも1つの受信に基づいて、第21から22の識別情報の内少なくとも1つを送信してよい。
【０１８３】
さらに、AMFは、バックオフタイマの値を登録拒絶メッセージに含めて送信してもよい。なお、AMFは、UEが要求するNPN内で高い優先度で接続が許可されたUEである場合、バックオフタイマの値を含めずに登録拒絶メッセージを送信してもよい。
【０１８４】
UEは第21の識別情報の受信に基づき、UEが要求したNPN内で高い優先度で接続が許可されない事を検知してもよい。更に、UEは第21の識別情報の受信に基づき、NPNを示す情報の記憶を更新してよい。具体的には、UEは第21の識別情報の受信に基づき、拒絶されたNPNを示す情報に高い優先度で接続が許可されていない事を示す情報を紐づけてもよいし、拒絶されたNPNを示す情報に高い優先度で接続が許可されている事を示す情報が紐づいている場合、NPNを示す情報に高い優先度で接続が許可されている事を示す情報を解除してもよい。
【０１８５】
更に、具体的には、NPNを示す情報に、S-NSSAIが含まれる場合、UEは拒絶されたS-NSSAIを、高い優先度接続が可能であるリストから削除して記憶してもよいし、拒絶されたS-NSSAIと関連付けられて記憶する高い優先度で接続が可能であることを示すフラグを削除してもよい。
【０１８６】
UEは、第22の識別情報の受信に基づき、UEが記憶するhigh priority NPN listを更新、またはhigh priority NPN listを作成してもよい。なお、ここでUEが記憶するhigh priority NPN listとは、UEが高い優先度で接続が許可されているNPNを識別する為の者である。ここで、NPNを示す情報にS-NSSAIが含まれる場合、UEは、high priority NPN listの更新、又は作成の代わりに、UEが記憶するNSSAI情報(NSSAI storage)の更新を行ってもよい。具体的に、NPNを示す情報にS-NSSAIが含まれる場合、受信したS-NSSAIを、UEが高い優先度で接続が可能であるNPNを示すS-NSSAIのリストとして記憶してもよいし、allowed NSSAI又はConfigured NSSAI又はrejected NSSAIのリスト内の対応するS-NSSAIに、UEが高い優先度で接続が可能であるNPNを示すS-NSSAIであることを示すフラグを関連付けて記憶てもよい。
【０１８７】
なお、上記に示すUEが各識別情報の受信に基づき実行する各処理は、本手続き中、又は本手続き完了後に実行されてもよいし、本手続き完了後に、本手続き完了に基づき実行されてもよい。UEは、5G AN(gNB)介して、登録拒絶メッセージを受信する(S612)。UEは、登録拒絶メッセージを受信することで、登録要求メッセージによるUEの要求が拒絶されたこと、及び登録拒絶メッセージに含まれる各種の識別情報の内容を認識することができる。また、UEは、登録要求メッセージを送信した後、所定の期間が経過しても、登録受諾メッセージ又は登録拒絶メッセージを受信しない場合には、UEの要求が拒絶されたことを認識してもよい。各装置は、登録拒絶メッセージの送受信に基づき、本手続き中の(B)の手続きを完了する。
【０１８８】
尚、図6の(B)の手続きは、図6の(A)の手続きを中止した場合に開始される場合もある。図6の(A)の手続きにおいて、第4の条件判別が真の場合、AMFは、登録拒絶メッセージに、PDUセッション確立拒絶メッセージ等の拒絶を意味するSMメッセージを含めて送信してもよいし、拒絶を意味するSMメッセージを含めることで、SMのための手続きが拒絶されたことを示してもよい。その場合、UEは、さらに、PDUセッション確立拒絶メッセージ等の拒絶を意味するSMメッセージを受信してもよいし、SMのための手続きが拒絶されたことを認識してもよい。
【０１８９】
各装置は、図6の(A)又は(B)の手続きの完了に基づいて、登録手続きを完了する。尚、各装置は、図6の(A)の手続きの完了に基づいて、UEがネットワークに登録された状態(RM_REGISTERED state)に遷移してもよいし、図6の(B)の手続きの完了に基づいて、UEがネットワークに登録されていない状態(RM_DEREGISTERED state)を維持してもよいし、UEがネットワークに登録されていない状態へ遷移してもよい。また、各装置の各状態への遷移は、登録手続きの完了に基づいて行われてもよく、PDUセッションの確立に基づいて行われてもよい。
【０１９０】
さらに、各装置は、登録手続きの完了に基づいて、登録手続きで送受信した情報に基づいた処理を実施してもよい。例えば、UEの一部の要求が拒絶されたことを示す情報を送受信した場合、UEの要求が拒絶された理由を認識してもよい。さらに、各装置は、UEの要求が拒絶された理由に基づいて、再度本手続きを実施してもよいし、コアネットワーク_Aや別のセルに対して登録手続きを実施してもよい。
【０１９１】
さらに、UEは、登録手続きの完了に基づいて、登録受諾メッセージ、及び/又は登録拒絶メッセージとともに受信した識別情報を記憶してもよいし、ネットワークの決定を認識してもよい。
【０１９２】
例えば、UEが、及第12の識別情報、及び/又は第13の識別情報を受信した場合、更に第12の識別情報に示されるrejected S-NSSAIが、UEが高い優先度で接続が許可されるNPNを示す情報に含まれない場合、UEはバックオフタイマを開始し、バックオフタイマのカウント中は、拒絶されたS-NSSAIを含めた登録要求メッセージの送信は停止してもよい。または、UEはバックオフタイマのカウント中は拒絶されたS-NSSIを拒絶されたS-NSSAIとして管理し、バックオフタイマのカウント終了後に、拒絶されたS-NSSAIを、Configured NSSAIとして記憶してもよい。
【０１９３】
また、例えば、UEが、第12の識別情報、及び/又は第13の識別情報を受信した場合、更に第12の識別情報に示されるrejected S-NSSAIが、UEが高い優先度で接続が許可されるNPNを示す情報に含まれる場合、UEはバックオフタイマのカウントを開始せず、続けて、拒絶されたS-NSSAIを含む登録要求メッセージを送信することで、再度登録手続きを開始してもよい。または、その場合、UEは、バックオフタイマのカウントを開始するが、バックオフタイマのカウント中であっても、UEがNPN内で高い優先度で接続が許可されているUEであることに基づき、登録手続きを開始してもよい。
【０１９４】
また、例えば、UEが第11の識別情報及び/又は第14の識別情報及び/又は第15の識別情報を受信した場合、UEは許可されたNPNへのPDUセッションを確立するために、PDUセッション確立手続きを開始してもよい。
【０１９５】
また、例えば、UEが登録受諾メッセージ、及び/又は第11の識別情報及び/又は第14の識別情報及び/又は第15の識別情報を受信した場合、更にUEが接続状態からアイドル状態に遷移した場合、NPNへの接続を再開するためのサービス要求手続きを開始してもよい。
【０１９６】
[3.3.サービス要求手続きの概要]
次に、サービス要求手続の概要について図7を用いて説明する。以下、サービス要求手続きは、本手続きとも称する。サービス要求手続きは、UEがアイドル状態(5GMM-IDLE)から接続状態(CONNECTED mode)に遷移するための手続きである。UEは、ユーザデータの保持、又はネットワークからのページングまたは通知をトリガとしてサービス要求を開始してもよい。
【０１９７】
UEは、サービス要求を開始する前に登録受諾メッセージを受信し、登録手続きを完了している状態であってもよい。
【０１９８】
まず、UEは、AMFにサービス要求メッセージ(Service request message)を送信する(S700)。なお、サービス要求メッセージはN1インターフェース上で送受信されるNASメッセージであるが、UEと5G AN(gNB)間はRRCメッセージに含まれて送受信される。
【０１９９】
ここで、UEは第31の識別情報をサービス要求メッセージ、及び/又はサービス要求メッセージが含まれるRRCメッセージに含めて送信してよい。尚、各機能のサポートを示す情報と、各機能の使用の要求を示す情報は、同じ識別情報として送受信されてもよいし、異なる識別情報として送受信されてもよい。
【０２００】
UEは、要求するNPN内で高い優先度で接続が許可されるUEである場合、バックオフタイマのカウントを実行中であっても、サービス要求メッセージ及び/又は第31の識別情報を送信してもよい。
【０２０１】
UEは第31の識別情報を送信することで、AMFにNPNへの接続を要求することを示してもよいし、更に、UEが要求するNPN内で高い優先度で接続が許可されたUEであることを示してもよい。
【０２０２】
AMFは、サービス要求メッセージを受信した場合、第1の処理を実行する(S702)。AMFは第1の処理において、UEのサービス要求を受諾するか否かを決定する。AMFは、第1の処理において、UEのサービス要求を受諾する場合、図7の(A)の手続きを実行する。一方、AMFは、第1の処理において、UEのサービス要求を拒絶する場合、図7の(B)の手続きを実行する。第1の処理による、UEからのサービス要求を受諾するか否かの決定方法は、サービス要求メッセージの受信、及び/又はサービス要求メッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、決定されてよい。
【０２０３】
例えば、AMFは第31の識別情報に基づき、移動管理の輻輳制御、及び/又はDNNベースの輻輳制御、及び/又はS-NSSAIベースの輻輳制御を実行している場合であっても、UEの要求を輻輳に基づき拒絶しなくてもよい。
【０２０４】
言い換えると、AMFは第31の識別情報に基づき、輻輳制御がアクティブであっても、バックオフタイマを含む拒絶メッセージをUEに送信しない。尚、UEのサービス要求の受諾か否かの決定については、前述した方法に限らない。
【０２０５】
まず、AMFがUEのサービス要求を受諾する場合について説明する。AMFは、サービス要求メッセージを受信及び/又は第1の処理に基づき、UEにサービス受諾メッセージを送信する(S704)。
【０２０６】
次に、AMFがUEのサービス要求を拒絶する場合について説明する。AMFは、サービス要求メッセージを受信及び/又は第1の処理に基づき、UEにサービス拒絶メッセージを送信する(S706)。
【０２０７】
各装置は、図7の(A)又は(B)の手続きの完了に基づいて、サービス要求手続きを完了する。尚、各装置は、図7の(A)の手続きの完了に基づいて、NASメッセージの送受信に使用されるN1インターフェースが接続されない状態(CM-IDLE)から、接続された状態(CM-CONNECTED)に遷移してよい。
【０２０８】
または、各装置は、図7の(B)の手続きの完了に基づいて、NASメッセージの送受信に使用されるN1インターフェースが接続されない状態(CM-IDLE)を維持してもよい。
【０２０９】
さらに、各装置は、サービス手続きの完了に基づいて、サービス要求手続きで送受信した情報に基づいた処理を実施してもよい。さらに、各装置は、UEの要求が拒絶された理由に基づいて、再度本手続きを実施してもよいし、コアネットワーク_Aや別のセルに対して登録手続きを実施してもよい。
【０２１０】
さらに、UEは、サービス手続きの完了に基づいて、サービス受諾メッセージ、及び/又はサービス拒絶メッセージとともに受信した識別情報を記憶してもよいし、ネットワークの決定を認識してもよい。
【０２１１】
例えば、UEはサービス受諾メッセージの受信に基づき、登録手続きを開始してもよい。
【０２１２】
[3.4.PDUセッション確立手続き]
次に、DNに対してPDUセッションを確立するために行うPDUセッション確立手続き (PDU session establishment procedure) の概要について、図8を用いて説明する。PDUセッション確立手続きは、5GSにおける手続きである。以下、本手続きとはPDUセッション確立手続きを指す。PDUセッション確立手続きは、各装置がPDUセッションを確立する為の手続きである。尚、各装置は、PDUセッション確立手続きを、登録手続きが完了して登録状態となった任意のタイミングで開始することができる。また、各装置は、PDUセッション確立手続きを、登録手続きの中で実行することができてもよい。また、各装置は、PDUセッション確立手続きの完了に基づいて、PDUセッションを確立してもよい。尚、PDUセッション確立手続きは、UEが主導して開始される手続きであってよいし、UEが要求して開始される手続きであってよい。各装置は、PDUセッション確立手続きを複数回実行することにより、複数のPDUセッションを確立することができる。例えば、UEが複数のNPNを介したPDUセッションを確立する事を要求する場合、UEは要求するNPNごとにPDUセッション確立手続きを開始してもよい。
【０２１３】
さらに、UEは、登録手続きで受信した識別情報を基に、PDUセッション確立手続きを開始してもよい。例えば、登録手続きにおいて、UEがNPNを示す情報を受信した場合、UEは本手続きを開始してもよい。
【０２１４】
まず、UEは、5G AN(gNB)及びAMFを介して、SMFにPDUセッション確立要求(PDU session establishment request)メッセージを含むNASメッセージを送信することにより(S800)(S802)(S804)、PDUセッション確立手続きを開始する。
【０２１５】
具体的には、UEは、N1インターフェースを介して、5G AN(gNB)を介して、AMFに、PDUセッション確立要求メッセージを含むNASメッセージを送信する(S800)。
【０２１６】
ここで、UEは、少なくとも第41から42の識別情報の内、1つ以上の識別情報を、PDUセッション確立要求メッセージ及び/又はNASメッセージに含めて送信することができるが、これらとは異なる制御メッセージ、例えば、RRCレイヤよりも下位のレイヤ(例えば、MACレイヤ、RLCレイヤ、PDCPレイヤ)の制御メッセージに含めて送信してもよい。これらの識別情報は、これらのメッセージに含められることで、UEの要求を示してもよい。また、これらの識別情報の2以上の識別情報は、1以上の識別情報として構成されてもよい。
【０２１７】
なお、UEは第41から42の識別情報以外に、UE ID及び/又はPLMN ID及び/又はrequested S-NSSAI及び/又はCAG ID及び/又はNIDをPDUセッション確立要求メッセージ及び/又はRRCメッセージに含めて送信してもよい。
【０２１８】
UEは第41の識別情報を送信することで、NPNへの接続を要求することを示してもよい。UEは、NPNへの接続が許可されている場合、及び/又はUEがNPNへの接続が許可されたUEであると記憶する場合、第41の識別情報を送信してよい。具体的に、例えばNPNを示す情報にS-NSSAIが含まれる場合、UEが記憶するallowed NSSAIに、NPNの為のS-NSSAIが含まれる場合、UEは第41の識別情報を送信してもよい。また、例えば、NPNを示す情報にDNNが含まれる場合、UEがNPNの為のDNNへのPDUセッションの確立を要求する場合、UEは第41の識別情報を送信してよい。
【０２１９】
AMFは、PDUセッション確立要求メッセージを含むNASメッセージを受信する(S800)。この時、AMFはDNNベース及び/又はS-NSSAIベースの輻輳制御を実行していてもよい。なお、DNNベース及び/又はS-NSSAIベースの輻輳制御とは、AMF及び/又はSMFがDNN及び/又はS-NSSAIに対するセッション管理(Session Manegement)メッセージの輻輳状態を検知したことに基づき開始する制御であってよい。
【０２２０】
AMFは、PDUセッション確立要求メッセージ及び/又はNASメッセージの受信に基づき、受信したPDUセッション確立要求メッセージをSMFに転送するかの第5の条件判別を行う。第5の条件判別の結果が真である場合、各装置は、S802以降の手続きを実行する。第5の条件判別の結果が偽である場合、AMFはNASメッセージを用いて、UEに拒絶メッセージを送信する(S801)。
【０２２１】
尚、第5の条件判別は、登録要求メッセージの受信、及び/又は登録要求メッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、実行されてもよい。
【０２２２】
具体的には、NPNを識別する情報にS-NSSAIが含まれる場合、更にNPNの為のS-NSSAIをUEが要求する場合、更に要求するS-NSSAIベースの輻輳制御が発生している場合、UEが要求するS-NSSAIに関連付けられたNPN又はS-NSSAI内で高い優先度で接続が可能であるUEであるか否かを確認し、UEがNPN又はS-NSSAI内で高い優先度で接続が可能であるUEである場合には第5の条件判別は真、NPN又はS-NSSAI内で高い優先度で接続が可能であるUEでない場合は第5の条件判別は偽とする。
【０２２３】
まず、第5の条件判別が偽である場合について説明する。第5の条件判別が偽である場合、AMFは、拒絶メッセージを送信する(S801)。AMFは拒絶メッセージに、受信したPDUセッション確立要求メッセージと、拒絶理由を示す理由値(Cause value)とを含める。AMFは更に、拒絶メッセージに、バックオフタイマの値を含めて送信してもよい。
【０２２４】
ただし、AMFは、UEがNPN又はS-NSSAI内で高い優先度で接続が可能であるUEであると記憶する場合で、拒絶メッセージを送信する場合、バックオフタイマの値は含めなくてよい。言い換えると、AMFはUEがNPN又はS-NSSAI内で高い優先度で接続が可能であるUEでない場合には、バックオフタイマの値を含む拒絶メッセージをUEに送信してよい(S801)。
【０２２５】
次に、第5の条件判別が真である場合について説明する。AMFは、第5の条件判別が真の場合、S802以降を実行する。
【０２２６】
まず、AMFは、NASメッセージからPDUセッション確立要求メッセージを取り出すとともに、PDUセッション確立要求メッセージの転送先としてSMFを選択する(S802)。尚、AMFは、PDUセッション確立要求メッセージ及び/又はNASメッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、転送先のSMFを選択してもよい。
【０２２７】
例えば、AMFは受信した第41の識別情報に基づき、UEが要求するNPN内のSMF又はUEが要求するNPNをサポートするSMFを選択してもよいし、第41の識別情報が示すS−NSSAIに含まれるSMFを選択してもよいし、第41の識別情報が示すDNNへの接続をサポートするSMFを選択してもよい。
【０２２８】
AMFは、選択したSMFに、N11インターフェースを介して、PDUセッション確立要求メッセージを転送する(S804)。なお、AMFは、第41から42の識別情報の内1つ以上を、PDUセッション確立要求メッセージではなくRRCメッセージで受信した場合、受信した情報をPDUセッション確立要求メッセージと共にSMFに転送してもよい。
【０２２９】
SMFは、PDUセッション確立要求メッセージを受信(S804)すると、PDUセッション確立要求メッセージに含まれる各種の識別情報を認識する。そして、SMFは、第3の条件判別を実行する。第3の条件判別は、SMFが、UEの要求を受諾するか否かを判断する為のものである。第3の条件判別において、SMFは第3の条件判別が真であるか偽であるかを判定する。SMFは、第3の条件判別が真の場合、図7の(A)の手続きを開始し、第3の条件判別が偽の場合、図8の(B)の手続きを開始する。
【０２３０】
尚、第3の条件判別は、PDUセッション確立要求メッセージ、及び/又はPDUセッション確立要求メッセージに含まれる各識別情報、及び/又は加入者情報、及び/又はネットワークの能力情報、及び/又はオペレータポリシー、及び/又はネットワークの状態、及び/又はユーザの登録情報、及び/又はSMFが保持するコンテキスト等に基づいて、実行されてもよい。例えば、UEの要求をネットワークが許可する場合、第3の条件判別は真でよい。また、UEの要求をネットワークが許可しない場合、第3の条件判別は偽でよい。さらに、UEの接続先のネットワーク、及び/又はネットワーク内の装置が、UEが要求する機能をサポートしている場合、第3の条件判別は真でよく、UEが要求する機能をサポートしていない場合、第3の条件判別は偽でよい。さらに、送受信される識別情報が許可される場合、第3の条件判別は真であり、送受信される識別情報が許可されない場合、第3の条件判別は偽でよい。尚、第3の条件判別の真偽が決まる条件は前述した条件に限らなくてもよい。
【０２３１】
次に、第3の条件判別が真の場合のステップ、すなわち図8の(A)の手続きの各ステップを説明する。SMFは、PDUセッションの確立先のUPFを選択し、選択したUPFに、N4インターフェースを介して、セッション確立要求メッセージを送信し(S806)、図8の(A)の手続きを開始する。
【０２３２】
ここで、SMFは、PDUセッション確立要求メッセージの受信に基づいて取得した各識別情報、及び/又は加入者情報、及び/又はネットワークの能力情報、及び/又はオペレータポリシー、及び/又はネットワークの状態、及び/又はユーザの登録情報、及び/又はSMFが保持するコンテキスト等に基づいて、1以上のUPFを選択してもよい。尚、複数のUPFが選択された場合、SMFは、各々のUPFに対してセッション確立要求メッセージを送信してもよい。
【０２３３】
例えば、SMFは受信した第41の識別情報に基づき、UEが要求するNPN内のUPFを選択してもよい。なお、UPFの選択方法はこれに限られず、SMFはこれ以外の条件に基づきUPFを選択してもよい。
【０２３４】
UPFは、N4インターフェースを介して、SMFからセッション確立要求メッセージを受信し(S806)、PDUセッションのためのコンテキストを作成する。さらに、UPFは、セッション確立要求メッセージを受信、及び/又はPDUセッションのためのコンテキストの作成に基づいて、N4インターフェースを介して、SMFにセッション確立応答メッセージを送信する(S808)。
【０２３５】
SMFは、セッション確立要求メッセージに対する応答メッセージとして、N4インターフェースを介して、UPFからセッション確立応答メッセージを受信する(S808)。SMFは、PDUセッション確立要求メッセージの受信、及び/又はUPFの選択、及び/又はセッション確立応答メッセージの受信に基づいて、UEに割り当てるアドレスのアドレス割り当てを行ってよい。
【０２３６】
SMFは、第41の識別情報及び/又は第42の識別情報の受信に基づき、UEが要求するNPNの為の追加の認証/承認手続きを実行してもよい。
【０２３７】
SMFは、PDUセッション確立要求メッセージの受信、及び/又はUPFの選択、及び/又はセッション確立応答メッセージの受信、及び/又はUEに割り当てるアドレスのアドレス割り当ての完了に基づいて、AMFを介して、UEにPDUセッション確立受諾(PDU session establishment accept)メッセージを送信する(S810)(S812)。
【０２３８】
具体的には、SMFは、N11インターフェースを介して、AMFにPDUセッション確立受諾メッセージを送信すると(S810)、PDUセッション確立要求メッセージを受信したAMFは、N1インターフェースを介して、UEにPDUセッション確立受諾メッセージを含むNASメッセージを送信する(S812)。尚、PDUセッション確立受諾メッセージは、NASメッセージであり、PDUセッション確立要求に対する応答メッセージであってよい。また、PDUセッション確立受諾メッセージは、PDUセッションの確立が受諾されたことを示すことができる。
【０２３９】
ここで、SMF及びAMFは、PDUセッション確立受諾メッセージを送信することで、PDUセッション確立要求によるUEの要求が受諾されたことを示してもよい。
【０２４０】
SMF及びAMFは、PDUセッション確立受諾メッセージに、少なくとも第51から52の識別情報の内、1つ以上の識別情報を含めて送信してもよい。尚、SMF及びAMFは、これらの識別情報及び/又はPDUセッション確立受諾メッセージを送信することで、ネットワークが各機能をサポートしていることを示してもよいし、UEの要求が受諾されたことを示してもよい。さらに、これらの識別情報の2以上の識別情報は、1以上の識別情報として構成されてもよい。尚、各機能のサポートを示す情報と、各機能の使用の要求を示す情報は、同じ識別情報として送受信されてもよいし、異なる識別情報として送受信されてもよい。
【０２４１】
UEは、第51の識別情報を受信することで、UEが要求したNPNへのPDUセッションが確立できたことを検知してもよいし、確立されたPDUセッションがNPNへのPDUセッションであることを検知してもよい。
【０２４２】
UEは、第52の識別情報を受信することで、UEが要求したNPNへのPDUセッションが確立できたことを検知してもよいし、確立されたPDUセッションがNPNへのPDUセッションであることを検知してもよいし、要求するNPNへの接続に対する認証/承認が完了したことを検知してもよい。
【０２４３】
尚、SMF及びAMFは、少なくとも第51から52の識別情報の内、どの識別情報をPDUセッション確立受諾メッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。
【０２４４】
例えば、SMFはUEから第41の識別情報の受信に基づき、第52の識別情報を送信してもよい。具体的には、SMFは第41の識別情報に基づき、UEから要求するNPNの為の追加の認証/承認を要すると判断した場合、認証/承認手続きを実行し、実行結果である第52の識別情報をUEに送信してもよい。
【０２４５】
なお、SMF及びAMFが、どの識別情報をPDUセッション確立受諾メッセージに含めるかの決定方法は、上記に限らない。
【０２４６】
また、SMF及びAMFは、選択した、及び/又は許可したPDUセッションIDをPDUセッション確立受諾メッセージに含めることができる。また、SMF及びAMFは、選択した、及び/又は許可したPDUセッションのタイプを示すPDUセッションタイプを指定することができる。PDUセッションタイプとしては、上述の通り、IPv4、IPv6、IP、Ethernet、Unstructuredのいずれかを指定することができる。また、SMF及びAMFは、選択した、及び/又は許可したPDUセッションのSSCモードをPDUセッション確立受諾メッセージに含めることができる。
【０２４７】
さらに、SMF及びAMFは、承認されたQoSルール群をPDUセッション確立受諾メッセージに含めることができる。尚、承認されたQoSルール群には一又は複数のQoSルールが含まれてよい。さらに、本手続きにおいて、QoSフロー、及び/又はユーザプレーン無線ベアラが複数確立される場合、承認されたQoSルール群には複数のQoSルールが含まれてもよい。逆に本手続きにおいて、QoSフロー、及び/又はユーザプレーン無線ベアラが1つのみ確立される場合、承認されたQoSルール群には1つのQoSルールが含まれてもよい。
【０２４８】
さらに、SMFは、PDUセッション確立受諾メッセージに、UEの一部の要求が拒絶されたことを示す情報を含めて送信してもよいし、UEの一部の要求が拒絶されたことを示す情報を送信することで、UEの一部の要求が拒絶された理由を示してもよい。さらに、UEは、UEの一部の要求が拒絶されたことを示す情報を受信することで、UEの一部の要求が拒絶された理由を認識してもよい。尚、拒絶された理由は、SMFが受信した識別情報が示す内容が許可されていないことを示す情報であってもよい。
【０２４９】
UEは、N1インターフェースを介して、AMFからPDUセッション確立受諾メッセージを含むNASメッセージを受信(S812)すると、AMFを介してSMFにPDUセッション確立完了メッセージを送信する(S814)(S816)。UEは、PDUセッション確立受諾メッセージを受信することで、PDUセッション確立要求によるUEの要求が受諾されたことを検出することができる。
【０２５０】
具体的には、UEは、N1インターフェースを介して、AMFにPDUセッション確立完了メッセージを送信する(S814)。AMFは、UEからPDUセッション確立完了メッセージを受信すると、N11インターフェースを介して、SMFにPDUセッション確立完了メッセージを送信する(S816)。
【０２５１】
尚、AMFがSMFに送信するPDUセッション確立完了メッセージは、S810でSMFからAMFに送信されたPDUセッション確立受諾メッセージに対する応答メッセージであってよい。また、PDUセッション確立完了メッセージは、NASメッセージであってよい。また、PDUセッション確立完了メッセージは、PDUセッション確立手続きが完了することを示すメッセージであればよい。
【０２５２】
SMFは、N11インターフェースを介して、AMFからPDUセッション確立完了メッセージを受信すると(S816)、第2の条件判別を実行することができる。第2の条件判別は、送受信されるN4インターフェース上のメッセージの種類を決定する為ものである。第2の条件判別が真の場合、SMFは、N4インターフェースを介して、UPFにセッション変更要求メッセージを送信すると(S818)、その応答メッセージとして、UPFから送信されるセッション変更受諾メッセージを受信する(S820)。第2の条件判別が偽の場合、SMFは、N4インターフェースを介して、UPFにセッション確立要求メッセージを送信すると(S818)、その応答メッセージとして、UPFから送信されるセッション変更受諾メッセージを受信する(S820)。
【０２５３】
尚、第2の条件判別は、PDUセッションのためのN4インターフェース上のセッションが確立されているか否かに基づいて、実行されてもよい。例えば、PDUセッションのためのN4インターフェース上のセッションが確立されている場合、第2の条件判別は真であってよく、PDUセッションのためのN4インターフェース上のセッションが確立されていない場合、第2の条件判別は偽であってよい。尚、第2の条件判別の真偽が決まる条件は前述した条件に限らなくてもよい。
【０２５４】
各装置は、PDUセッション確立受諾メッセージの送受信、及び/又はPDUセッション確立完了メッセージの送受信、及び/又はセッション変更応答メッセージの送受信、及び/又はセッション確立応答メッセージの送受信に基づいて、PDUセッション確立手続き中の(A)の手続きを完了する。本手続中の(A)の手続きが完了したとき、UEは、DNに対するPDUセッションが確立している状態にいる。
【０２５５】
次に、PDUセッション確立手続き中の(B)の手続きの各ステップを説明する。SMFは、AMFを介して、UEにPDUセッション確立拒絶(PDU session establishment reject)メッセージを送信する(S822)(S824)。具体的には、SMFは、N11インターフェースを介して、AMFにPDUセッション確立拒絶メッセージを送信する(S822)。AMFは、N11インターフェースを介して、SMFからPDUセッション確立要求メッセージを受信すると(S822)、N1インターフェースを用いて、UEにPDUセッション確立拒絶メッセージを送信する(S824)。
【０２５６】
尚、PDUセッション確立拒絶メッセージは、NASメッセージであってよい。また、PDUセッション確立拒絶メッセージは、PDUセッションの確立が拒絶されたことを示すメッセージであればよい。
【０２５７】
ここで、SMFは、PDUセッション確立拒絶メッセージを送信することで、PDUセッション確立要求によるUEの要求が拒絶されたことを示してもよい。さらに、SMFは、PDUセッション確立拒絶メッセージに第61から62の識別情報の内少なくとも1つを送信してもよい。さらに、SMFは、バックオフタイマの値をPDUセッション確立拒絶メッセージに含めて送信してもよい。なお、SMFは第41から42の識別情報の内少なくとも1つを受信した事に基づき、第61から62の識別情報の内少なくとも1つを送信してもよい。
【０２５８】
UEは、第61の識別情報の受信に基づき、UEが記憶するhigh priority NPN listを更新、またはhigh priority NPN listを作成してもよい。なお、ここでUEが記憶するhigh priority NPN listとは、UEが高い優先度で接続が許可されているNPNを識別する為の者である。ここで、NPNを示す情報にS-NSSAIが含まれる場合、UEは、high priority NPN listの更新、又は作成の代わりに、UEが記憶するNSSAI情報(NSSAI storage)の更新を行ってもよい。具体的に、NPNを示す情報にS-NSSAIが含まれる場合、受信したS-NSSAIを、UEが高い優先度で接続が可能であるNPNを示すS-NSSAIのリストとして記憶してもよいし、allowed NSSAI又はConfigured NSSAI又はrejected NSSAIのリスト内の対応するS-NSSAIに、UEが高い優先度で接続が可能であるNPNを示すS-NSSAIであることを示すフラグを関連付けて記憶てもよい。
【０２５９】
UEは、第61の識別情報に基づき、拒絶されたNPNを介する(又はNPNへの)PDUセッションの確立要求を送信しない設定を記憶してよい。
【０２６０】
UEは第62の識別情報に基づき、UEが要求するNPNの為の追加の認証/承認手続が完了していないことを認識してよいし、UEが要求するNPNの為の追加の認証/承認手続が完了していない状態を記憶してよい。
【０２６１】
各装置は、図8の(A)又は(B)の手続きの完了に基づいて、PDUセッション確立手続きを完了する。尚、各装置は、図8の(A)の手続きの完了に基づいて、PDUセッションが確立された状態に遷移してもよいし、図8の(B)の手続きの完了に基づいて、PDUセッション確立手続きが拒絶されたことを認識してもよいし、PDUセッションが確立されていない状態に遷移してもよい。さらに、UEは、図8の(A)の手続きが完了することで、確立したPDUセッションを用いて、DNと通信することができる。
【０２６２】
さらに、各装置は、PDUセッション確立手続きの完了に基づいて及びPDUセッション確立手続き内の各ステップの発生に基づいて、PDUセッション確立手続きで送受信した情報に基づいた処理を実施してもよい。
【０２６３】
例えば、各装置は、UEの一部の要求が拒絶されたことを示す情報を送受信した場合、UEの要求が拒絶された理由を認識してもよい。さらに、各装置は、UEの要求が拒絶された理由に基づいて、再度本手続きを実施してもよいし、別のセルに対してPDUセッション確立手続きを実施してもよい。
【０２６４】
例えば、各装置は、SMFは、PDUセッション確立受諾メッセージの送信、及び/又は第51の識別情報の送受信、及び/又は第52の識別情報の送受信、及び/又は図8の(A)の完了に基づき、UEの管理情報(例えば、UEコンテキスト)に、UEがNPN内で高い優先度で接続が許可されたUEであることを記憶してもよい。
【０２６５】
更に、例えば、コアネットワーク内の装置によりUEがNPN内で高い優先度で接続が許可されたUEと記憶されている場合、SMFは、PDUセッション確立受諾メッセージの送信、及び/又は図8の(A)の完了に基づき、本手続きにより確立したPDUセッションに対する、PDUセッション変更拒絶メッセージ(PDU session modification reject message)、及び/又はPDUセッション削除コマンドメッセージ(PDU session release command message)に、バックオフタイマ値を含まない。
【０２６６】
さらに、UEは、PDUセッション確立手続きの完了に基づいて、PDUセッション確立受諾メッセージ、及び/又はPDUセッション確立拒絶メッセージとともに受信した識別情報を記憶してもよいし、ネットワークの決定を認識してもよい。
【０２６７】
例えば、UEは第51の識別情報の受信に基づき、確立されPDUセッションはNPNを介して確立されたPDUセッションであることを認識、及び記憶してよい。
【０２６８】
例えば、UEは第52の識別情報の受信に基づき、確立されたPDUセッションが介するNPNの為の認証/承認手続きが完了している事を認識、記憶してもよい。
【０２６９】
さらに、UEは受信した識別情報を記憶してもよいし、ネットワークの決定を認識に基づき、本手続き以降の各手続きを実行してもよい。
【０２７０】
例えば、UEがNPNの為の認証/承認手続きが完了している事を認識、記憶している場合、同じNPNを介した(又はNPNへの)PDUセッション確立要求メッセージを確立する場合には、追加の認証/承認手続きを要求しなくてよい。
【０２７１】
[3.5.UE設定更新手続き]
次に、UE設定更新手続き (Generic UE configuration update procedure)について、図9を用いて説明する。以下、UE設定更新手続きは本手続きとも称する。本手続きは、コアネットワークが、UEの設定情報を更新するための手続きである。本手続きは、ネットワークに登録されたUEに対してネットワークが主導して実行するモビリティマネジメントのための手続きであってよい。
【０２７２】
さらに、AMF等のコアネットワーク内の装置は、ネットワークの設定の更新、及び/又はオペレータポリシーの更新に基づいて本手続きを開始してもよい。尚、本手続きのトリガは、UEのモビリティの検出であってもよいし、UE、及び/又はアクセスネットワーク、及び/又はコアネットワークの状態変化の検出であってもよいし、ネットワークスライスの状態変化であってもよい。さらに、本手続きのトリガは、DN、及び/又はDNのアプリケーションサーバーからの要求の受信であってもよいし、ネットワークの設定の変化であってもよいし、オペレータポリシーの変化であってもよい。さらに、本手続きのトリガは、実行しているタイマの満了であってもよい。尚、コアネットワーク内の装置が本手続きを開始するトリガはこれらに限らない。言い換えると、本手続きは、前述の登録手続き及び/又はPDUセッション確立手続きが完了した後の任意のタイミングで実行されてよい。さらに、本手続きは、各装置が5GMMコンテキストを確立した状態、及び/又は各装置が5GMM接続モードである状態であれば、任意のタイミングで実行されてよい。
【０２７３】
さらに、本手続きのトリガは、ネットワークが管理するUEの状態変化であってよく、具体的には、UEが高い優先度で接続が許可されるNPNのリストに変更があった場合であってもよい。さらに、ネットワークが管理するUEの状態変化はアプリケーションからの要求に基づいて実行されてもよい。
【０２７４】
また、各装置は、本手続き中に、UEの設定情報を変更するための識別情報、及び/又はUEが実行している機能を停止又は変更するための識別情報を含んだメッセージを送受信してもよい。さらに、各装置は、本手続きの完了に基づいて、ネットワークが指示する設定に、設定情報を更新してもよいし、ネットワークが指示する挙動を開始してもよい。
【０２７５】
UEは、本手続きによって送受信される制御情報を基に、UEの設定情報を更新してもよい。さらに、UEは、UEの設定情報の更新に伴って、実行している機能を停止してもよいし、新たな機能を開始してもよい。言い換えると、コアネットワーク内の装置は、本手続きを主導すること、さらには本手続きの制御メッセージ及び制御情報をUEに送信することより、これらの制御情報を用いて識別可能なUEの設定情報を、UEに更新させてもよい。さらに、コアネットワーク内の装置は、UEの設定情報を更新させることで、UEが実行している機能を停止させてもよいし、UEに新たな機能を開始させてもよい。
【０２７６】
まず、AMFは、5G AN(又はgNB)を介してUEに、設定更新コマンド(Configuration update command)メッセージを送信することにより(S900)、UE設定更新手続きを開始する。
【０２７７】
AMFは、設定更新コマンドメッセージに少なくとも第71の識別情報を含めて送信してもよい。尚、AMFは、第71の識別情報を送信することで、新しいUEの設定情報を示してもよいし、UEの設定情報の更新を要求してもよい。尚、各機能のサポートを示す情報と、各機能の使用の要求を示す情報は、同じ識別情報として送受信されてもよいし、異なる識別情報として送受信されてもよい。
【０２７８】
尚、AMFは、少なくとも第71の識別情報を設定更新コマンドメッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。
【０２７９】
また、AMFは、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、設定更新コマンドメッセージを送信することで、UEの設定情報の更新の要求を示してもよい。
【０２８０】
UEは、5G AN(gNB)介して、設定更新コマンドメッセージを受信する(S900)。UEは、設定更新コマンドメッセージ、及び/又は設定更新コマンドメッセージに含まれる識別情報に基づいて、UEの設定情報を更新してもよい。
【０２８１】
UEは、第71の識別情報の受信に基づき、UEが記憶するhigh priority NPN listを更新、またはhigh priority NPN listを作成してもよい。なお、ここでUEが記憶するhigh priority NPN listとは、UEが高い優先度で接続が許可されているNPNを識別する為の者である。ここで、NPNを示す情報にS-NSSAIが含まれる場合、UEは、high priority NPN listの更新、又は作成の代わりに、UEが記憶するNSSAI情報(NSSAI storage)の更新を行ってもよい。具体的に、NPNを示す情報にS-NSSAIが含まれる場合、受信したS-NSSAIを、UEが高い優先度で接続が可能であるNPNを示すS-NSSAIのリストとして記憶してもよいし、allowed NSSAI又はConfigured NSSAI又はrejected NSSAIのリスト内の対応するS-NSSAIに、UEが高い優先度で接続が可能であるNPNを示すS-NSSAIであることを示すフラグを関連付けて記憶てもよい。
【０２８２】
なお、上記に示すUEが各識別情報の受信に基づき実行する各処理は、本手続き中、又は本手続き完了後に実行されてもよいし、本手続き完了後に、本手続き完了に基づき実行されてもよい。さらに、UEは、設定更新コマンドメッセージに含まれる識別情報に基づいて、設定更新コマンドメッセージに対する応答メッセージとして、設定更新完了(Configuration update complete)メッセージを、5G AN(gNB)を介して、AMFに送信してもよい(S902)。
【０２８３】
AMFは、UEが設定更新完了コマンドメッセージを送信した場合、5G AN(gNB)を介して、設定更新完了メッセージを受信する(S902)。また、各装置は、設定更新コマンドメッセージ、及び/又は設定更新完了メッセージの送受信に基づき、本手続きを完了する。
【０２８４】
さらに、各装置は、本手続きの完了に基づいて、本手続きで送受信した情報に基づいた処理を実施してもよい。例えば、設定情報に対する更新情報を送受信した場合、各装置は、設定情報を更新してもよい。さらに、登録手続きの実行が必要であることを示す情報を送受信した場合、UEは、本手続きの完了に基づいて、登録手続きを開始してもよい。
【０２８５】
さらに、UEは、本手続きの完了に基づいて、設定情報コマンドメッセージとともに受信した識別情報を記憶してもよいし、ネットワークの決定を認識してもよい。
【０２８６】
例えば、UEは本手続きの完了、及び/又は第71の識別情報の受信に基づき、UEが高い優先度で接続が許可される1または複数のNPNを認識してもよいし、それらを記憶してもよい。
【０２８７】
更に、例えばUEは、記憶したUEが高い優先度で接続が許可される1または複数のNPNの情報に基づいて、登録手続き、及び/又はサービス要求手続き、及び/又はPDUセッション確立要求手続き、及び/又はPDUセッション変更手続きを実行してもよい。
【０２８８】
具体的には、UEは、第71の識別情報の受信に基づき、UEが高い優先度で接続が許可されるNPNを示す情報を含む、登録要求メッセージ、サービス要求メッセージ、及び/又はPDUセッション確立要求メッセージ、及び/又はPDUセッション変更要求メッセージ(PDU session modification request message)を送信することで、各手続きを開始してもよい。
【０２８９】
また、本手続き完了に基づき、記憶した情報に基づいて、各手続きを実行してもよい。具体的には、UEが記憶する、UEが高い優先度で接続が許可されるNPNを介する(又はNPNへの)PDUセッションの確立手続き、及び/又はPDUセッション変更手続き、及び/又はPDUセッション削除手続きにおいて、ネットワークからバックオフタイマの値を受信した場合であっても、バックオフタイマのカウントを開始しなくてもよく、またはバックオフタイマのカウント中であっても、登録要求メッセージ、サービス要求メッセージ、及び/又はPDUセッション確立要求メッセージ、及び/又はPDUセッション変更要求メッセージ(PDU session modification request message)を送信する事ができる。
【０２９０】
以上の手続きにおいて、設定更新コマンドメッセージの送受信により、コアネットワーク内の装置は、UEに対して、UEが既に適用している設定情報の更新を指示することができるし、UEが実行している機能の停止又は変更を指示することができる。
【０２９１】
[4.各実施形態]
以下に本発明における各実施形態についてそれぞれ説明する。
【０２９２】
[4.1.第1の実施形態]
次に、第１の実施形態について説明する。以下、第1の実施形態を、本実施形態と称する。本実施形態では、各装置が、AMFが輻輳制御中であっても、またはUEがバックオフタイマのカウント中であっても、UEが要求するNPNに対して登録を完了する実施形態について説明する。
【０２９３】
本実施形態の通信手続きの初期状態は、AMFは、NASレベルでの輻輳状態を検知し、輻輳制御を開始している状態であってよい。
【０２９４】
初期状態の各装置は、UEにより開始された第1の登録手続きを実行する。第1の登録手続きは、3.2章の登録手続きであってよい。第1の登録手続きにおいて、UEはAMFへ第1から4の識別情報の内少なくとも1つを含める第1の登録要求メッセージを送信する。言い換えると、第1から4の識別情報の内少なくとも1つを含める第1の登録要求メッセージを受信する。
【０２９５】
続けて、UEは、AMFから、第21から22の識別情報の内少なくとも1つ以上を含む登録拒絶メッセージを受信することにより、第1の登録手続きを完了する。言い換えると、AMFは、第21から22の識別情報の内少なくとも1つ以上を含む登録拒絶メッセージを送信することにより、第1の登録手続きを完了する。なお、AMFは、登録拒絶メッセージに理由値として、輻輳を示す情報を含めてもよい。更に、AMFは、登録拒絶メッセージにバックオフタイマの値を含めてもよいし、UEの情報に基づき、バックオフタイマの値を含めなくてもよい。
【０２９６】
第1の登録手続きの完了、第21から22の識別情報の受信に基づき、UEは、UEが要求するNPN内でUEは高い優先度で接続が許可されたUEであることを認識、及び記憶してもよい。更に、拒絶の理由値の受信に基づき、UEはAMFから輻輳の理由に基づき拒絶された事を認識する。更に、バックオフタイマの値の受信に基づき、UEはバックオフタイマのカウントを開始又は実行してもよい。または、UEは、UEの記憶情報に基づき、バックオフタイマの値を受信しても、バックオフタイマのカウントを開始しなくてもよい。
【０２９７】
UEは、UEの記憶情報に基づき、バックオフタイマのカウント中であっても、第2の登録手続きを開始してもよい。第2の登録手続きは、3.2章の登録手続きであってよい。第2の登録手続きにおいて、UEはAMFへ第1から4の識別情報の内少なくとも1つを含める第1の登録要求メッセージを送信する。言い換えると、第1から4の識別情報の内少なくとも1つを含める第1の登録要求メッセージを受信する。
【０２９８】
続けて、UEは、AMFから、第11から15の識別情報の内少なくとも1つ以上を含む登録受諾メッセージを受信することにより、第2の登録手続きを完了する。言い換えると、AMFは、第11から15の識別情報の内少なくとも1つ以上を含む登録受諾メッセージを送信することにより、第2の登録手続きを完了する。
【０２９９】
以上の手続きにより、各装置は、AMFが輻輳制御中であっても、UEが要求するNPNに対してUEの登録手続きを完了する。なお、UEが要求するNPNに対してUEの登録手続きを完了するとは、言い換えると、UEが要求するNPNに対して登録状態に遷移する事を意味してもよいし、UEが要求するNPNを介した(又はNPNへの)PDUセッションの確立が許可された状態に遷移してもよい。
【０３００】
なお、第1の実施形態では、第1の登録手続きと第2の登録手続きが実行されることで、各装置は、AMFが輻輳制御中であっても、UEが要求するNPNに対して登録を完了したが、各装置は、AMFが輻輳制御中であっても、UEが要求するNPNに対して登録を完了する方法はこれに限らない。例えば、各装置は第2の登録手続きのみで、AMFが輻輳制御中であっても、UEが要求するNPNに対して登録を完了してもよい。
【０３０１】
なお、第1の実施形態において、第2の登録手続き完了後に、各装置は任意のタイミングにより、3.3章のサービス要求手続き、及び/又は3.4章のPDUセッション確立手続き、及び/又は3.5章のUE設定更新手続きを開始してもよい。
【０３０２】
[4.2.第2の実施形態]
次に、第2の実施形態について説明する。以下、第2の実施形態を、本実施形態と称する。本実施形態では、各装置は、AMF及び/又はSMFが輻輳制御中であっても、又はUEがバックオフタイマのカウント中であっても、UEがNPN内で高い優先度で接続が許可されていることに基づき、PDUセッション確立手続きを実行する事を説明する。
【０３０３】
本実施形態の通信手続きでは、初期状態は、各装置は、NPNに対して登録を完了している状態である。各装置は第1の実施形態により、初期状態に遷移していてもよいし、これに限らない。
【０３０４】
更に、初期状態は、AMF及び/又はSMFはDNNベース及び/又はS-NSSAIベースの輻輳状態を検知し、DNNベース及び/又はS-NSSAIベースの輻輳制御状態である。
【０３０５】
初期状態から、各装置は、UEから開始される第1のPDUセッション確立手続きを実行する。なお、第1のPDUセッション確立手続きとは、3.4章のPDUセッション確立手続きであってよい。
【０３０６】
具体的には、UEは、第41から42の識別情報の内少なくとも1つ以上を含める第1のPDUセッション確立要求をAMF及び/又はSMFへ送信する。言い換えると、AMF及び/又はSMFはUEから第41から42の識別情報の内少なくとも1つ以上を含める第1のPDUセッション確立要求を受信する。
【０３０７】
更に、続けて、UEは、第61から62の識別情報の内少なくとも1つを含めるPDUセッション確立拒絶メッセージをAMF及び/又はSMFから受信する。言い換えると、AMF及び/又はSMFは第61から62の識別情報の内少なくとも1つを含めるPDUセッション確立拒絶メッセージをUEに送信する。
【０３０８】
なお、AMF及び/又はSMFは、PDUセッション確立拒絶メッセージに理由値として、輻輳を示す情報を含めてもよい。更に、AMF及び/又はSMFは、登録拒絶メッセージにバックオフタイマの値を含めてもよいし、UEの情報に基づき、バックオフタイマの値を含めなくてもよい。
【０３０９】
第1の登録手続きの完了、第41から42の識別情報の受信に基づき、UEは、UEが要求するNPN内でUEは高い優先度で接続が許可されたUEであることを認識、及び記憶してもよい。更に、拒絶の理由値の受信に基づき、UEはAMF及び/又はSMFから輻輳の理由に基づき要求を拒絶された事を認識する。更に、バックオフタイマの値の受信に基づき、UEはバックオフタイマのカウントを開始又は実行してもよい。または、UEは、UEの記憶情報に基づき、バックオフタイマの値を受信しても、バックオフタイマのカウントを開始しなくてもよい。
【０３１０】
UEは、UEの記憶情報に基づき、バックオフタイマのカウント中であっても、第2のPDUセッション確立手続きを開始してもよい。なお、第2のPDUセッション確立手続きとは、3.4章のPDUセッション確立手続きであってよい。
【０３１１】
具体的には、UEは、第41から42の識別情報の内少なくとも1つ以上を含める第2のPDUセッション確立要求をAMF及び/又はSMFへ送信する。言い換えると、AMF及び/又はSMFはUEから第41から42の識別情報の内少なくとも1つ以上を含める第2のPDUセッション確立要求を受信する。
【０３１２】
更に、続けて、UEは、第51から52の識別情報の内少なくとも1つを含めるPDUセッション確立受諾メッセージをAMF及び/又はSMFから受信する。言い換えると、AMF及び/又はSMFは第51から52の識別情報の内少なくとも1つを含めるPDUセッション確立受諾メッセージをUEに送信する。
【０３１３】
以上の手続きにより、各装置は、AMF及び/又はSMFが、DNNベース及び/又はS-NSSAIベースの輻輳制御中であっても、UEが要求するNPNを介した(NPNへの)PDUセッションが確立できる。更に、各装置は、UEがNPN内で高い優先度で接続接続が許可されたUEとして管理する事ができ、UEが高い優先度で接続が許可されたNPNを介した(又はNPNへの)PDUセッションに関する手続き(PDUセッション変更手続き、及び又はPDUセッション解放手続き)において、AMF及び/SMFはUEへバックオフタイマを送信しない。
【０３１４】
なお、第2の実施形態では、第1のPDUセッション確立手続きと第2のPDUセッション確立手続きが実行されることで、各装置は、AMF及び/又はSMFが輻輳制御中であっても、UEが要求するUEが要求するNPNを介した(NPNへの)PDUセッションが確立を完了したが、各装置は、AMF及び/又はSMFが輻輳制御中であっても、UEが要求するUEが要求するNPNを介した(NPNへの)PDUセッションが確立を完了する方法はこれに限らない。例えば、各装置は第2のPDUセッション確立手続きのみで、AMF及び/又はSMFが輻輳制御中であっても、UEが要求するUEが要求するNPNを介した(NPNへの)PDUセッションが確立を完了してもよい。
【０３１５】
なお、第2の実施形態において、第2のPDUセッション確立手続き後、各装置は任意のタイミングにより、PUDセッション変更手続き、及び/又はPUDセッション解放手続き、及び/又は3.5章のUE設定更新手続きを開始してもよい。
【０３１６】
なお、第2のPDUセッション確立手続き後に実行される、PUDセッション変更手続き、及び/又はPUDセッション解放手続きにおいて、AMF及び/又はSMFは、UEの情報に基づき、UEへバックオフタイマの値を送信しなくてよい。
【０３１７】
[4.3.第3の実施形態]
次に、第3の実施形態について説明する。以下、第3の実施形態を、本実施形態と称する。本実施形態では、各装置は、AMF及び/又はSMFが輻輳制御中であっても、UEがNPN内で高い優先度で接続が許可されたUEとしてネットワーク内で記憶される場合の、PDUセッション変更手続きについて説明する。
【０３１８】
本手続きの初期状態は、NPNを介した(又はNPNへの)、少なくとも1つのPDUセッションが確立された状態である。さらに、SMFは、UEがNPN内で高い優先度で接続が許可されたUEであることを記憶している。なお、各装置は、例えば第2の実施形態により、初期状態に遷移していてもよいし、各装置の初期状態への遷移方法はこれに限らない。
【０３１９】
本実施形態の初期状態では、AMF及び/又はSMFはDNNベース及び/又はS-NSSAIベースの輻輳状態を検知し、DNNベース及び/又はS-NSSAIベースの輻輳制御状態である。
【０３２０】
初期状態から、各装置は、PDUセッション変更手続き(PDU session modification procedure)を開始する。
【０３２１】
なお、ここで、PDUセッション変更手続きとは、UEまたはネットワーク主導により、確立されたPDUセッションを変更する為の手続きであり、UEからSMFに送信されるPDUセッション変更要求メッセージ(PDU Session modification request message)と、SMFからUEに送信されるPDUセッション変更拒絶メッセージ(PDU session modification reject message)又はSMFから開始されるPDUセッション変更手続きにより構成される。
【０３２２】
また、SMFから開始されるPDUセッション変更手続きはSMFからUEに送信されるPDUセッション変更コマンドメッセージ(PDU seesion modification command message)とUEからSMFへ送信されるPDUセッション変更完了メッセージ(PDU session modification complete message)により構成される。
【０３２３】
先に説明したように、PDUセッション変更手続き内で、SMFはUEへPDUセッション変更コマンドメッセージを送信する。ここで、SMFは、UEが、NPN内で高い優先度で接続が許可されたUEであることに基づき、PDUセッション変更コマンドメッセージにバックオフタイマの値を含めない。
【０３２４】
UEは、バックオフタイマの値を含まないPDUセッション変更コマンドメッセージをSMFから受信した事に基づき、PDUセッション変更完了メッセージを送信し、PDUセッション変更手続きを完了する。
【０３２５】
以上の手続きにより、各装置は、AMF及び/又はSMFが輻輳制御中であっても、UEがNPN内で高い優先度で接続が許可されたUEとしてネットワーク内で記憶される場合は、輻輳制御をせずにPDUセッション変更手続きを実施する。
【０３２６】
なお、第2の実施形態において、各装置は任意のタイミングにより、PUDセッション変更手続き、及び/又はPUDセッション解放手続き、及び/又は3.5章のUE設定更新手続きを開始してもよい。
【０３２７】
[4.4.第4の実施形態]
次に、第4の実施形態について説明する。以下、第4の実施形態を、本実施形態と称する。本実施形態では、各装置は、AMF及び/又はSMFが輻輳制御中であっても、UEがNPN内で高い優先度で接続が許可されたUEとしてネットワーク内で記憶される場合のPDUセッション解放手続きについて説明する。
【０３２８】
本手続きの初期状態は、NPNを介した(又はNPNへの)、少なくとも1つのPDUセッションが確立された状態である。さらに、SMFは、UEがNPN内で高い優先度で接続が許可されたUEであることを記憶している。なお、各装置は、例えば第2の実施形態により、初期状態に遷移していてもよいし、各装置の初期状態への遷移方法はこれに限らない。
【０３２９】
本実施形態の初期状態では、AMF及び/又はSMFはDNNベース及び/又はS-NSSAIベースの輻輳状態を検知し、DNNベース及び/又はS-NSSAIベースの輻輳制御状態である。
【０３３０】
初期状態から、PDUセッション解放手続き(PDU session release procedure)を開始する。
【０３３１】
なお、ここで、PDUセッション解放手続きとは、確立されたPDUセッションを削除するための手続きである。PDUセッション解放手続きは、ネットワーク主導とUE主導の手続きがあるが、本実施形態ではネットワーク主導の手続きを意味する。
【０３３２】
ネットワーク主導のPDUセッション解放手続きは、SMFからUEに送信されるPDUセッション解放コマンドメッセージ(PDU Session relase command message)と、UEからSMFに送信されるPDUセッション解放完了メッセージ(PDU session release complete messge)により構成される。
【０３３３】
先に示すように、PDUセッション解放手続き内で、SMFはPDUセッション解放コマンドメッセージを送信する。ここで、SMFは、UEが、NPN内で高い優先度で接続が許可されたUEであることに基づき、PDUセッション解放コマンドメッセージにバックオフタイマの値を含めない。
【０３３４】
UEは、バックオフタイマの値を含まないPDUセッション解放コマンドメッセージをSMFから受信した事に基づき、PDUセッション解放完了メッセージを送信し、PDUセッション解放手続きを完了する。
【０３３５】
以上の手続きにより、各装置は、AMF及び/又はSMFが輻輳制御中であっても、UEがNPN内で高い優先度で接続が許可されたUEとしてネットワーク内で記憶される場合は、輻輳制御をせずにPDUセッション変更手続きを実施する。
【０３３６】
なお、第2の実施形態において、各装置は任意のタイミングにより、PUDセッション変更手続き、及び/又はPUDセッション解放手続き、及び/又は3.5章のUE設定更新手続きを開始してもよい。
【０３３７】
[5. 変形例]
本発明に関わる装置で動作するプログラムは、本発明に関わる実施形態の機能を実現するように、Central Processing Unit(CPU)等を制御してコンピュータを機能させるプログラムであっても良い。プログラムあるいはプログラムによって取り扱われる情報は、一時的にRandom Access Memory(RAM)等の揮発性メモリあるいはフラッシュメモリ等の不揮発性メモリやHard Disk Drive(HDD)、あるいはその他の記憶装置システムに格納される。
【０３３８】
尚、本発明に関わる実施形態の機能を実現する為のプログラムをコンピュータが読み取り可能な記録媒体に記録しても良い。この記録媒体に記録されたプログラムをコンピュータシステムに読み込ませ、実行する事によって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０３３９】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ(DSP)、特定用途向け集積回路(ASIC)、フィールドプログラマブルゲートアレイ(FPGA)、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサでもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いる事も可能である。
【０３４０】
なお、本願発明は上述の実施形態に限定されるものではない。実施形態では、装置の1例を記載したが、本願発明は、これに限定されるものではなく、屋内外に設置される据え置き型、または非可動型の電子機器、たとえば、AV機器、キッチン機器、掃除・洗濯機器、空調機器、オフィス機器、自動販売機、その他生活機器等の端末装置もしくは通信装置に適用出来る。
【０３４１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３４２】
1 移動通信システム
10 UE_A
30 PGW-U
32 PGW-C
35 SGW
40 MME
45 eNB
50 HSS
60 PCRF
80 アクセスネットワーク_A(E-UTRAN)
90 コアネットワーク_A
120 アクセスネットワーク_B(5G AN)
122 gNB
130 UPF
132 SMF
140 AMF
150 UDM
160 PCF
190 コアネットワーク_B
【図１】
2020170896.tif 000003
【図２】
2020170896.tif 000004
【図３】
2020170896.tif 000005
【図４】
2020170896.tif 000006
【図５】
2020170896.tif 000007
【図６】
2020170896.tif 000008
【図７】
2020170896.tif 000009
【図８】
2020170896.tif 000010
【図９】
2020170896.tif 000011